(57)【要約】  移動体デバイスとワイヤレスノードとの間のワイヤレスリンクを通してのアプリケーションプロキシサポートを開示する。アプリケーションプロキシサポートは、エネルギーおよびリソースを節約し、通信環境における遅延を緩和する。アプリケーションプロキシサポートは、フェムトセルのようなワイヤレスノードに関係付けることができる。データの配信をどのくらい遅延させるかを決定できる粗粒度ワイヤレスアプリケーションプロキシが提供される。フェムトセルは、移動体デバイスに関係する１つ以上のアプリケーションに対して、各移動体デバイスに対するアプリケーションプロキシを実行する粗粒度ワイヤレスアプリケーションプロキシを提供できる。プロキシは、データをバッファして、受信データを移動体デバイスに転送するか否かを決定でき、移動体デバイスの代わりにネットワークに応答でき、移動体デバイスをウェイクアップさせることができる。【選択図】図１
2013535130.tif 000002
【特許請求の範囲】
【請求項１】
ワイヤレスノードにおける通信環境中で使用する方法において、
移動体デバイスのワイヤレスワイドエリアネットワークとの通信をサポートすることと、
前記移動体デバイスに関係するアプリケーションのサブセットに対してアプリケーションプロキシサポートを前記ワイヤレスノードにおいて提供することとを含み、
前記移動体デバイスは、第１のワイヤレスリンクを通して前記ワイヤレスノードにアクセス可能である方法。
【請求項２】
前記提供することは、
前記移動体デバイスに向けられているデータの第１のサブセットを前記ワイヤレスワイドエリアネットワークから受信することと、
前記データの第１のサブセットを処理することとを含む請求項１記載の方法。
【請求項３】
前記処理することは、
前記移動体デバイスへの後の送信のために、前記データの第１のサブセットをバッファすることと、
前記データの第１のサブセットに関係する遅延の満了の後に、前記第１のワイヤレスリンクを通して前記データの第１のサブセットを前記移動体デバイスに伝達することとを含む請求項２記載の方法。
【請求項４】
前記遅延は、動的に構成可能である請求項３記載の方法。
【請求項５】
前記処理することは、前記データの第１のサブセットを前記移動体デバイスに送信するか否かを決定することを含む請求項３記載の方法。
【請求項６】
前記伝達することは、前記決定に基づいて実行される請求項５記載の方法。
【請求項７】
前記提供することは、前記移動体デバイスに関係する被プロキシアプリケーションの代わりに、前記ワイヤレスワイドエリアネットワークに通信することを含む請求項１記載の方法。
【請求項８】
データの第２のサブセットを受信することと、
前記データの第２のサブセットをバッファすることと、
前記データの第１のサブセットと実質的に同時に、前記データの第２のサブセットを送信することとをさらに含む請求項２記載の方法。
【請求項９】
前記バッファすることは、データを集約することを含み、前記伝達することは、データバースト中で前記集約されたデータを前記移動体デバイスに配信することを含み、前記方法は、前記集約データの受信の後に、より低いエネルギーモードに入るように前記移動体デバイスに命令することをさらに含む請求項８記載の方法。
【請求項１０】
前記集約することは、分類、サービスの品質、アプリケーションタイプ、構成可能な選択、許容可能な遅延時間、または、これらの組み合わせに基づいている請求項９記載の方法。
【請求項１１】
前記ワイヤレスノードにおいて、前記移動体デバイスに関係するアプリケーションのサブセットに対して少なくとも２つの状態を維持することをさらに含み、
前記維持することは、前記ワイヤレスノードと前記ワイヤレスワイドエリアネットワークとの間の少なくとも１つの対話に対して第１の状態を予約することと、前記ワイヤレスノードと前記移動体デバイスとの間の少なくとも１つの対話に対して第２の状態を予約することとを含む請求項１記載の方法。
【請求項１２】
前記第２の状態は、前記第１の状態と比較して、前記移動体デバイスに対するより低いエネルギー状態を表す請求項１１記載の方法。
【請求項１３】
前記第２の状態の利用可能性を監視することと、
前記監視することが、前記第２の状態が利用可能ではないことを示す場合に、前記移動体デバイスを前記第２の状態から前記第１の状態へ遷移させることとをさらに含み、
前記伝達することは、前記第１の状態でデータの第１のサブセットを送ることを含む請求項１１記載の方法。
【請求項１４】
前記第２の状態の利用可能性は、前記第２のワイヤレスリンクの利用可能性に依存している請求項１３記載の方法。
【請求項１５】
データの第１のサブセットは、第２のワイヤレスリンクを通して前記ワイヤレスノードによって前記移動体デバイスに配信される請求項１記載の方法。
【請求項１６】
前記ワイヤレスノードと前記移動体デバイスとの間のワイヤレス通信に対するエネルギー利用を最小化するために、前記第１のワイヤレスリンクまたは前記第２のワイヤレスリンクが選択される請求項１５記載の方法。
【請求項１７】
第２の状態の利用可能性は、前記第２のワイヤレスリンクの利用可能性に依存している請求項１６記載の方法。
【請求項１８】
前記移動体デバイス上でアクティブなアプリケーションを識別することと、
前記識別されたアクティブなアプリケーションのうちの１つ以上のものに対して、アプリケーションプロキシを実行することとをさらに含む請求項１記載の方法。
【請求項１９】
被プロキシアプリケーションに関係する著しいイベントの到着のときに、前記移動体デバイスと前記ワイヤレスノードとの間の少なくとも１つのワイヤレスリンクを通して、前記移動体デバイスをウェイクアップさせることをさらに含む請求項１記載の方法。
【請求項２０】
前記移動体デバイスに関係するアプリケーションのサブセットは、前記移動体デバイスに関係するすべてのアプリケーションを含む請求項１記載の方法。
【請求項２１】
前記移動体デバイスと前記ワイヤレスノードとの間の少なくとも１つのワイヤレスリンクが暗号化されている請求項１記載の方法。
【請求項２２】
前記ワイヤレスノードはフェムトセルである請求項１記載の方法。
【請求項２３】
通信装置において、
移動体デバイスのワイヤレスワイドエリアネットワークとの通信をサポートすることと、前記移動体デバイスに関係するアプリケーションのサブセットに対してアプリケーションプロキシサポートを前記通信装置において提供することとに関連する命令を保持するメモリと、
前記メモリに結合されており、前記メモリ中に保持されている前記命令を実行するように構成されているプロセッサとを具備し、
前記移動体デバイスは、第１のワイヤレスリンクを通して前記通信装置にアクセス可能である通信装置。
【請求項２４】
前記メモリは、前記移動体デバイスに向けられているデータの第１のサブセットを前記ワイヤレスワイドエリアネットワークから受信することと、前記移動体デバイスへの後の送信のために、前記データの第１のサブセットをバッファすることと、前記データの第１のサブセットに関係する遅延の満了の後に、前記第１のワイヤレスリンクを通して前記データの第１のサブセットを前記移動体デバイスに伝達することとに関連する命令をさらに備える請求項２３記載の通信装置。
【請求項２５】
前記メモリは、前記通信装置において、前記移動体デバイスに関係するアプリケーションのサブセットに対して少なくとも２つの状態を維持することに関連する命令をさらに備え、
前記維持することに関連する命令は、前記通信装置と前記ワイヤレスワイドエリアネットワークとの間の少なくとも１つの対話に対して第１の状態を予約することと、前記通信装置と前記移動体デバイスとの間の少なくとも１つの対話に対して第２の状態を予約することとに関連する命令を含む請求項２３記載の通信装置。
【請求項２６】
前記メモリは、前記移動体デバイス上でアクティブなアプリケーションを識別することと、前記アクティブなアプリケーションのうちの１つ以上のものに対して、アプリケーションプロキシを動作させることと、各アクティブなアプリケーションに関係するデータをバッファすることと、構成可能な遅延の満了の後に、前記バッファされたデータを前記移動体デバイスに配信することとに関連する命令をさらに備える請求項２３記載の通信装置。
【請求項２７】
移動体デバイスに対してプロキシサポートを提供する通信装置において、
移動体デバイスのワイヤレスワイドエリアネットワークとの通信をサポートする手段と、
前記移動体デバイスに関係するアプリケーションのサブセットに対してアプリケーションプロキシサポートを前記通信装置において提供する手段とを具備する通信装置。
【請求項２８】
前記提供する手段は、
前記移動体デバイスに向けられているデータの第１のサブセットを前記ワイヤレスワイドエリアネットワークから受信する手段と、
前記データの第１のサブセットを処理する手段とを備える請求項２７記載の通信装置。
【請求項２９】
前記移動体デバイスへの後の送信のために、前記データの第１のサブセットをバッファする手段と、
前記データの第１のサブセットに関係する遅延の満了の後に、前記第１のワイヤレスリンクを通して前記データの第１のサブセットを前記移動体デバイスに伝達する手段とをさらに具備する請求項２７記載の通信装置。
【請求項３０】
前記通信装置において、前記移動体デバイスに関係するアプリケーションのサブセットに対して少なくとも２つの状態を維持する手段をさらに具備し、
前記維持する手段は、前記通信装置と前記ワイヤレスワイドエリアネットワークとの間の少なくとも１つの対話に対して第１の状態を予約する手段と、前記通信装置と前記移動体デバイスとの間の少なくとも１つの対話に対して第２の状態を予約する手段とを備える請求項２９記載の通信装置。
【請求項３１】
前記第２の状態の利用可能性を監視する手段と、
前記監視する手段が、前記第２の状態が利用可能ではないことを示す場合に、前記移動体デバイスを前記第２の状態から前記第１の状態へ遷移させる手段とをさらに具備する請求項３０記載の通信装置。
【請求項３２】
データの第２のサブセットを受信する手段と、
前記データの第２のサブセットをバッファする手段と、
データの第１のサブセットと実質的に同時に、前記データの第２のサブセットを送信する手段とをさらに具備する請求項２７記載の通信装置。
【請求項３３】
前記移動体デバイス上でアクティブなアプリケーションを識別する手段と、
前記アクティブなアプリケーションのうちの少なくとも１つに対して、アプリケーションプロキシを実行して、データをバッファする手段と、
構成可能な遅延に基づいて、前記バッファされたデータを前記移動体デバイスに配信する手段をさらに具備する請求項２７記載の通信装置。
【請求項３４】
コンピュータプログラムプロダクトにおいて、
コンピュータ読取可能媒体を含み、
前記コンピュータ読取可能媒体は、
移動体デバイスのワイヤレスワイドエリアネットワークとの通信をコンピュータにサポートさせるための第１の組のコードと、
前記移動体デバイスに関係するアプリケーションのサブセットに対してアプリケーションプロキシサポートを前記コンピュータに提供させるための第２の組のコードとを含むコンピュータプログラムプロダクト。
【請求項３５】
前記コンピュータ読取可能媒体は、
前記移動体デバイスに向けられているデータの第１のサブセットを前記ワイヤレスワイドエリアネットワークから前記コンピュータに受信させるための第３の組のコードと、
前記移動体デバイスへの後の送信のために、前記データの第１のサブセットを前記コンピュータにバッファさせるための第４の組のコードと、
前記データの第１のサブセットに関係する遅延の満了の後に、前記第１のワイヤレスリンクを通して前記データの第１のサブセットを前記移動体デバイスに前記コンピュータに伝達させるための第５の組のコードとをさらに含む請求項３４記載のコンピュータプログラムプロダクト。
【請求項３６】
移動体デバイスに対してプロキシサポートを提供するように構成されている少なくとも１つのプロセッサにおいて、
移動体デバイスのワイヤレスワイドエリアネットワークとの通信をサポートする第１のモジュールと、
前記移動体デバイスに関係するアプリケーションのサブセットに対してアプリケーションプロキシサポートを提供する第２のモジュールと、
前記移動体デバイスに向けられているデータの第１のサブセットを前記ワイヤレスワイドエリアネットワークから受信する第３のモジュールと、
前記データの第１のサブセットを処理する第４のモジュールとを具備する少なくとも１つのプロセッサ。
【請求項３７】
前記移動体デバイスへの後の送信のために、前記データの第１のサブセットをバッファする第５のモジュールと、
前記データの第１のサブセットに関係する遅延の満了の後に、前記第１のワイヤレスリンクを通して前記データの第１のサブセットを前記移動体デバイスに伝達する第６のモジュールとをさらに具備し、
前記遅延は、動的に構成可能である請求項３６記載の少なくとも１つのプロセッサ。
【発明の詳細な説明】
【分野】
【０００１】
以下の記述は、一般的に、ワイヤレス通信に関し、さらに詳細には、アプリケーションプロキシサポートを利用する通信環境に関する。
【背景】
【０００２】
ワイヤレス通信システムは、ユーザがどこ（例えば、構造内または構造外）に位置付けられているか、および、ユーザが静的であるかもしくは移動している（例えば、自動車中、歩いている）かに関わらず、音声、データ、ビデオ等のような、さまざまなタイプの通信コンテンツを提供し、情報を通信するために広く採用されている。これらのシステムは、利用可能なシステムリソース（例えば、帯域幅および送信電力）を共有することにより、複数のユーザによる通信をサポートできる多元接続システムであってもよい。多元接続システムは、周波数分割多元接続（ＦＤＭＡ）システム、時分割多元接続（ＴＤＭＡ）システム、コード分割多元接続（ＣＤＭＡ）システム、直交周波数分割多元接続（ＯＦＤＭＡ）システム、第３世代パートナーズシッププロジェクト（３ＧＰＰ）ロングタームエボリューション（ＬＴＥ）システムおよび他のものを含む。
【０００３】
近年、ユーザは、固定回線通信を移動体通信と置き換え始めており、向上した音声品質、信頼できるサービスおよび効率的なデバイスをますます要求している。実施されている移動体電話ネットワークに加えて、新しいクラスの小さな基地局が出現した。新しいクラスの小さな基地局は、ユーザの自宅または他のエリアでインストールでき、既存のブロードバンドインターネット接続を使用して、屋内ワイヤレスカバレッジを移動体ユニットに提供する。このようなパーソナル小型基地局は、一般的に、アクセスポイント基地局、または、代替的にホームノードＢ（ＨＮＢ）、または、フェムトセルとして知られている。典型的に、このような小型基地局は、デジタル加入者線（ＤＳＬ）ルータまたはケーブルモデムを通して、インターネットおよび移動体運営者のネットワークに接続されている。
【０００４】
フェムトセルは、少量の電力を送信し、大きなカバレッジエリアを有するマクロセルと比較すると、非常に小さいカバレッジエリアを有する。フェムトセルは、マクロセルカバレッジ中にボイドがあるかもしれない場合、および／または、追加の容量が必要とされる場合に、カバレッジを提供するために、ネットワーク中に追加される。マクロセルとフェムトセルとの混合を含む、この新しいタイプのネットワーク配置トポロジーは、より一般化している。
【０００５】
ワイヤレス通信ネットワークの一般的に普及した使用とともに、移動体デバイスの効率、および、電力の節約（すなわちバッテリー寿命）は、デバイスユーザにとって問題となり得る。一般的に、アクティブに使用されていない移動体デバイスはスリープモードであり、到来通信が存在するか否かを決定するために、少なくとも周期的にウェイクアップしなくてはならない。到来通信が存在しない場合に、移動体デバイスはスリープモードに戻ることができる。加えて、通信が完了した後、デバイスは、エネルギーを節約するよう試行して、より低い電力モードに入ってもよい。スリープモードから／への遷移、および、他のモード間での遷移は、不必要に電力を消費し、遅延をもたらし得る。
【概要】
【０００６】
以下の説明は、１つ以上の態様の基本的な理解を提供するために、このような態様の簡略化された概要を提示する。この概要は、すべての考えられる態様の幅広い概観ではなく、すべての態様のキーまたは重要なエレメントを識別することや、任意の態様またはすべての態様の範囲を線引きすることを意図していない。その唯一の目的は、後に提示するさらに詳細な記述への前置きとして、１つ以上の態様のいくつかの概念を簡略化した形態で提示することである。
【０００７】
１つ以上の態様とそれらの対応する開示とにしたがって、ネットワーク状態を向上させて、利用可能な側波帯データパスとその側波帯が提供する選択肢とを知ることに関するさまざまな態様を記述する。プロキシおよび移動体デバイスは、データおよび／またはアプリケーションに対して必要な帯域幅、ならびに／あるいは、データおよび／またはアプリケーションの遅延許容差の関数としていずれの側波帯を使用するかを構成できる。いくつかの態様にしたがうと、使用する側波帯はデータの分類に基づいて決定される。分類はまた、利用すべき遅延許容差および側波帯を示すことができる。分類はまた、移動体デバイスがスリープモードであるべき時間の長さに関連する情報を含めることができる。
【０００８】
ある態様は、ワイヤレスノードにおける通信環境中で使用する方法に関連する。方法は、移動体デバイスのワイヤレスワイドエリアネットワークとの通信をサポートすることを含む。方法はまた、移動体デバイスに関係するアプリケーションのサブセットに対してアプリケーションプロキシサポートをワイヤレスノードにおいて提供することを含む。移動体デバイスは、第１のワイヤレスリンクを通してワイヤレスノードにアクセス可能である。
【０００９】
ある態様は、メモリとプロセッサとを具備する通信装置に関連する。メモリは、移動体デバイスのワイヤレスワイドエリアネットワークとの通信をサポートすることに関連する命令を保持する。メモリは、移動体デバイスに関係するアプリケーションのサブセットに対してアプリケーションプロキシサポートを通信装置において提供することに関連する命令をさらに保持する。移動体デバイスは、第１のワイヤレスリンクを通して通信装置にアクセス可能である。プロセッサは、メモリに結合されており、メモリ中に保持されている命令を実行するように構成されている。
【００１０】
ある態様は、移動体デバイスに対してプロキシサポートを提供する通信装置に関連する。通信装置は、移動体デバイスのワイヤレスワイドエリアネットワークとの通信をサポートする手段を具備する。通信装置はまた、移動体デバイスに関係するアプリケーションのサブセットに対してアプリケーションプロキシサポートを通信装置において提供する手段をさらに具備する。いくつかの態様にしたがうと、提供する手段は、データの第１のサブセットを受信する手段と、データの第１のサブセットを処理する手段とを備える。いくつかの態様にしたがうと、通信装置は、データの第１のサブセットをバッファする手段と、構成可能な遅延の後にデータの第１のサブセットを伝達する手段とを具備する。
【００１１】
いくつかの態様にしたがうと、通信装置は、第１の状態を予約する手段と、第２の状態を予約する手段とを備える、少なくとも２つの状態を維持する手段を具備する。いくつかの態様にしたがうと、通信装置は、第２の状態の利用可能性を監視する手段と、移動体デバイスを第２の状態へ遷移させる手段とを具備する。
【００１２】
いくつかの態様にしたがうと、通信装置は、データの第２のサブセットを受信する手段と、データの第２のサブセットをバッファする手段と、データの第２のサブセットを送信する手段とを具備する。いくつかの態様にしたがうと、ワイヤレス通信装置は、移動体デバイス上でアクティブなアプリケーションを識別する手段と、１つ以上のアクティブなアプリケーションに対してアプリケーションプロキシを実行して、データをバッファする手段と、構成可能な遅延に基づいて、バッファされたデータを移動体デバイスに配信する手段とを具備する。
【００１３】
ある態様にしたがうと、コンピュータプログラムプロダクトはコンピュータ読取可能媒体を含んでいる。コンピュータ読取可能媒体には、移動体デバイスのワイヤレスワイドエリアネットワークとの通信をコンピュータにサポートさせるための第１の組のコードが含まれている。コンピュータ読取可能媒体はまた、移動体デバイスに関係するアプリケーションのサブセットに対してアプリケーションプロキシサポートをコンピュータに提供させるための第２の組のコードを含む。
【００１４】
ある態様は、移動体デバイスに対してプロキシサポートを提供するように構成されている少なくとも１つのプロセッサに関連する。プロセッサは、移動体デバイスのワイヤレスワイドエリアネットワークとの通信をサポートする第１のモジュールを具備する。プロセッサはまた、移動体デバイスに関係するアプリケーションのサブセットに対してアプリケーションプロキシサポートを提供する第２のモジュールと、移動体デバイスに向けられているデータの第１のサブセットをワイヤレスワイドエリアネットワークから受信する第３のモジュールとを具備する。プロセッサには、データの第１のサブセットを処理する第４のモジュールもまた具備されている。
【００１５】
前述した目的および関連する目的の達成に向けて、１つ以上の態様は、下記に完全に記述し、特に、特許請求の範囲中で指し示す特徴を含む。以下の説明、および、添付した図面は、１つ以上の態様の特定の例示的な特徴を詳しく述べる。しかしながら、これらの特徴は、さまざまな態様の原理を用いることができるさまざまな方法のうちのいくつかだけを示している。図面に関連して考えるとき、他の利益および新規な特徴が以下の詳細な説明から明らかになるだろう。開示した態様は、このようなすべての態様とそれらの均等物とを含むことを意図している。
【図面の簡単な説明】
【００１６】
【図１】図１は、開示する態様を利用できるワイヤレス通信環境を図示している。
【図２】図２は、移動体デバイスがネットワークと通信中であってもよい状態を概略化したものを図示している。
【図３】図３は、ある態様にしたがった、アプリケーションプロキシサポートのためのシステムを図示している。
【図４】図４は、ある態様にしたがった、移動体デバイスがネットワークと通信中であってもよい休眠状態を含む、状態を概略化したものを図示している。
【図５】図５は、ある態様にしたがった、プロキシ（例えば、フェムトプロキシ）における、移動体デバイス最適化ワイヤレスワイドエリアネットワーク状態に対する例示的なシステムの概略化したものを図示している。
【図６】図６は、ある態様にしたがった、ワイヤレスノードにおける通信環境中で使用する方法を図示している。
【図７】図７は、ある態様にしたがった、ワイヤレスノードにおける通信環境中で使用する別の方法を図示している。
【図８】図８は、ある態様にしたがった、アプリケーションプロキシサポートに対する通信環境中で使用する方法を図示している。
【図９】図９は、ここで提示するさまざまな態様にしたがったプロキシサポートを促進するシステムを図示している。
【図１０】図１０は、ある態様にしたがった、プロキシサポートを提供する例示的なシステムを図示している。
【図１１】図１１は、ある態様にしたがった例示的なワイヤレス通信システムを図示している。
【詳細な説明】
【００１７】
これから図面を参照して、さまざまな態様を説明する。以下の説明では、例示する目的に対して、１つ以上の態様の完全な理解を提供するために多数の特定の詳細を述べる。しかしながら、それらの特定の詳細なしで、そのような態様を実施できることは明らかであるかもしれない。他の事例では、よく知られている構造およびデバイスは、それらの態様の説明を促進するために、ブロックダイヤグラムの形態で示されている。
【００１８】
図１は、開示する態様を利用できるワイヤレス通信環境１００を図示している。ワイヤレス通信環境１００中には、ホームノードＢユニットまたはフェムトセル１０４と通信している１つ以上の移動体デバイス１０２が備えられている。移動体デバイス１０２およびフェムトセル１０４は、ワイヤレスリンク１０６として図示されている、ワイヤレスリンクまたはワイヤードリンクを通して通信できる。フェムトセルは、例えば、１つ以上のユーザの住宅また他の環境のような、小さなスケールのネットワーク環境中でインストールできる。フェムトセルは、関係する移動体デバイスとともに、（例えば、計画外の方法で配備できる）エイリアン移動体デバイスを担当するように構成されている。フェムトセル１０４は、無線ネットワーク制御装置（ＲＮＣ）１１０を通して、（ワイヤレスワイドエリアネットワーク（ＷＷＡＮ１０８）インフラストラクチャネットワークであり得る）インフラストラクチャネットワークに結合されている。フェムトセル１０４とＲＮＣ１１０との間の接続は、トンネル１１２（例えば、デジタル加入者線（ＤＳＬ））を通すことができる。いくつかの態様にしたがうと、トンネルは、ワイヤード通信リンクを通すことができる。
【００１９】
開示する態様は最適化を提供し、最適化は、フェムトセル１０４により担当される移動体デバイス１０２の代わりにフェムトセル１０４においてアプリケーションプロキシを利用する、リアルタイムアプリケーションに対する積極的な最適化であるとすることができる。移動体デバイス１０２は、多くのアプリケーション（例えば、電話アプリケーション、インスタントメッセンジャーアプリケーション、Ｅメールアプリケーション、ブラウザアプリケーション等）を実行できる。電話アプリケーションはまた、リアルデータに関連しないいくつかのタスクを処理するかもしれない。インスタントメッセンジャーアプリケーションは、遠隔ユーザインスタントメッセンジャーアプリケーションからの、通常のプレゼンス更新、ユーザ開始ステータス更新、プレゼンスプローブをサポートすべきである。キープアライブは、ルータ／ミドルボックス中の“接続状態”タイマをリセットするために維持される。音声アプリケーションは、必ずしも音声通話中でそのピアに携わることなく、ピアの利用可能性に関する、ピアとの一定の情報交換を有してもよい。一般的に、移動体デバイス１０２は、リアルアプリケーショントラフィックなしでパケットを通信または受信する。したがって、フェムトセルにおけるリアルタイムオフロードのために、アプリケーションプロキシをフェムトセルにおいてサポートすることが望ましい。これにより、移動体デバイスは、移動体デバイスのユーザが処理する必要があるリアルイベントが存在するまでスリープできるようになる。
【００２０】
いくつかの態様にしたがうと、プロキシは、フェムトセル上で実現され、移動体デバイスとフェムトセルとの間のワイヤレスリンクを通して管理される。移動体デバイスは、移動体デバイスが望むプロキシサポートとともにフェムトセルを構成し、移動体デバイスは、スリープして、フェムトプロキシからのウェイクアップを待つことができる。
【００２１】
いくつかの態様にしたがうと、適切なポート番号における関連アプリケーションに対して単にパケットをフィルタリングするために、フェムトセルにおいてパケットフィルタリングアプローチを使用できる。インスタントメッセンジャーアプリケーション、音声、ｅメール、ブラウザアプリケーションに対するアプリケーションスタブが、移動体デバイスの代わりに動作して、同期化または情報に対する時折のウェイクアップに基づく、移動体デバイス上でのアプリケーション環境との粗同期化を実行するために、これらのアプリケーションスタブをフェムトセル上で提供することが、より積極的なアプローチである。これにより、移動体デバイスが頻繁にウェイクアップして、情報を通信する必要性を緩和できる。同期化はまた、利用可能であって、望まれる場合に、長距離低エネルギーブルートゥース（登録商標）リンクのような、代替低エネルギーリンクを通して実行できる。異なる仮想区分中で各移動体デバイスプロキシをサポートするために、フェムトセル上での仮想実現を利用できる。複数のユーザに対して仮想化サポートを提供するために、仮想化ソリューションを使用できる。
【００２２】
移動体デバイス１０２がＷＷＡＮ１０８と通信しているときに、移動体デバイス１０２は、ＷＷＡＮプロトコル状態に関係するさまざまな状態のうちの１つであるとすることができる。図２は、移動体デバイスが（ＷＷＡＮネットワークのような）ネットワークと通信中であってもよいＷＷＡＮ状態２００であり得る、状態を概略化したものを図示している。移動体デバイスは、スリープしている間中、または、通信（例えば、電話通話、テキストメッセージ、ビデオ、データ等）を待っている間中、アイドル状態２０２であるとすることができる。移動体デバイスは、到来通信があるか否かを決定するために周期的にウェイクアップしてもよく、到来通信がない場合には、移動体デバイスはアイドル状態２０２に移行して戻る。
【００２３】
移動体デバイスは、例えば、ページを処理するときに、ページングチャネル（ＰＣＨ）状態またはセル＿ＰＣＨ状態２０４であるとすることができる。セル＿ＰＣＨ状態２０４は低電力モードである。セル＿ＰＣＨ状態２０４では、移動体デバイスに割り振られている物理チャネルはない。
【００２４】
移動体デバイスがアクティブに通信している（例えば、通信を送っている、通信を受信している）場合に、移動体デバイスは、フォワードアクセスチャネル（ＦＡＣＨ）状態またはセル＿ＦＡＣＨ状態２０６であるとすることができる。セル＿ＦＡＣＨ状態２０６（またはＦＡＣＨモード）では、移動体デバイスに割り振られている専用物理チャネルはない。移動体デバイスは、アップリンク（例えば、ランダムアクセスチャネル（ＲＡＣＨ））上で（例えば、別の移動体デバイスがそのチャネルを使用している）共有伝送チャネルを割り振られている。基地局は、ダウンリンク上で（他の移動体デバイスに対しても基地局が使用する）ＦＡＣＨを使用する。
【００２５】
チャネルがＲＡＣＨおよびＦＡＣＨ（例えば、共有チャネルモード）であるとき、（例えば、通信することになるデータが少量であるときに）専用ベアラは確立されていない。通信することになるデータが多量にある（例えば、ビデオをストリーミングする、大きなデータをダウンロードする）場合に、移動体デバイスは、専用チャネル（ＤＣＨ）モードまたはセル＿ＤＣＨ状態２０８へ遷移し、アップリンクおよびダウンリンク上で移動体デバイスに専用ベアラが割り振られる。
【００２６】
１つの状態から別の状態への移行は、エネルギーを消費し、遅延をもたらす。これは、追加のトラフィックを待つ間の遅延の関数であるとすることができる。例えば、アイドル状態２０２からセル＿ＤＣＨ状態２０８への遷移は、およそ５秒かかるとすることができる。別の例では、セル＿ＰＣＨ状態２０４からセル＿ＦＡＣＨ状態２０６またはセル＿ＤＣＨ状態２０８への移行は、２秒くらいかかるとすることができる。さらなる例では、セル＿ＤＣＨ状態２０８から別の状態への遷移は、およそ２秒から１５秒かかるとすることができる。遅延時間は、構成可能であり、オペレータまたはサービスプロバイダに依存するとすることができる。記述されているおよび／または図示されている遅延時間は、例示的な目的のみに向けられていることに留意すべきである。
【００２７】
１つ以上の遅延が伴われることにより、異なるオペレータ（またはサービスプロバイダ）は、状態間での遷移に対する異なる遅延タイミングを確立できる。エネルギーをセーブ（例えば、より低いエネルギーモードへの遷移）するタイミングが積極的である場合、これにより、移動体デバイスエネルギーを節約できるが、ユーザは、ネットワークリソースが利用可能になる前に、より高い電力状態への遷移を待たなければならないので、ユーザ経験はネガティブに影響され得る。
【００２８】
例えば、セル＿ＤＣＨ状態２０８からセル＿ＦＡＣＨ状態２０６への遷移時間は比較的速い（例えば、２秒）とすることができる。しかしながら、３秒目において、遷移が完了した直後に、大量のデータを交換する必要があるイベントが存在する。したがって、移動体デバイスは、セル＿ＦＡＣＨ状態２０６からセル＿ＤＣＨ状態２０８へ遷移して戻る必要がある。この遷移を行うために、ＦＡＣＨおよびＲＡＣＨを通して、専用のベアラに対する要求がある。専用ベアラは、移動体デバイスがセル＿ＤＣＨ状態２０８へ遷移できるようになる前に確立される。セル＿ＤＣＨ状態２０８への遷移（および、関係する遅延およびエネルギー消費）の後にのみ、移動体デバイスはデータを受信／送信できる。したがって、モードを変更する間に消費する時間／エネルギーと、同じモードを保つ（および、時間をセーブするが、より低い電力モードへの遷移に比べて、より多くのエネルギーを消費する）間に消費する時間／エネルギーとの間でのトレードオフが存在する。
【００２９】
開示する態様は、プロキシを利用して、データをバッファし、移動体デバイスへのデータの配信をどのくらい遅延させるかを決定する。ある態様にしたがうと、プロキシはフェムトセル上にあるとすることができる。いくつかの態様にしたがうと、移動体デバイスへのデータの配信における遅延は実質的にはない。遅延は、データの分類の関数とすることができる。分類はヘッダ中に含まれ、データとともに受信することができる。いくつかの態様にしたがうと、移動体デバイスは、分類とともにフェムトセルを構成する（例えば、移動体デバイスは、所望の構成可能な分類をプロキシに通信する）。プロキシは、移動体デバイスのエネルギーを節約するよう試行する際に、分類の関数として移動体デバイス状態遷移を管理できる。いくつかの態様にしたがうと、プロキシは、複数の分類を有するデータを集約し、バースト中で集約データを移動体デバイスに配信する。集約データを配信した後に、プロキシは、移動体デバイスを低エネルギーモードに送り戻す。いくつかの態様にしたがうと、移動体デバイス上におけるエネルギーセービングの提供を支援するために、側波帯制御シグナリングメカニズムを持つ２次ＷＷＡＮ状態を利用できる。
【００３０】
いくつかの態様にしたがうと、フェムトセルは、各移動体デバイス上でアクティブなアプリケーションの少なくともサブセットに対して、各移動体デバイスに対するアプリケーションプロキシを実行できる。アプリケーションプロキシは、ネットワークからデータを受信してバッファし、構成可能な遅延の関数として、データを移動体デバイスに配信する。より長い遅延は、移動体デバイス上でのより多いエネルギー量のセービングの結果となる。より短い遅延は、移動体デバイス上でのより少ないエネルギー量のセービングの結果となる。
【００３１】
エネルギー消費コストの例は、遷移の間に消費されるエネルギーと、より高いエネルギー状態を保つ間に消費されるエネルギーとを含む。（セル＿ＤＣＨからセル＿ＦＡＣＨからセル＿ＰＣＨからアイドルを含む）エネルギー状態遷移はエネルギーを消費する。ある態様にしたがうと、エネルギー消費は、プロキシ（すなわち、フェムトセル）にオフロードできる。移動体デバイスは、より速い応答が必要とされるときに、（例えば、およそ０．０９ｍＡよりも高い）より高いエネルギー状態である必要があるかもしれない。例えば、ｅメールは、２Ｋバイトくらいであり、およそ５分毎に到着するとすることができる。トラフィック更新または他のウェブアクセスに関するクエリのようなインターネットアクセスは、および１０Ｋバイトアクセスであるとすることができる。ＴＣＰ（例えば、ｅメール、ウェブ）セッションに対するキープアライブは、およそ１５分毎のように、頻繁ではないとすることができる。ＵＤＰセッション（例えば、インスタントメッセージングアプリケーション）に対するキープアライブは、およそ４０秒毎のように、より頻繁であるとすることができる。アプリケーション同期化（例えば、チャット、インスタントメッセージングアプリケーション）もまたエネルギーを消費し得る。
【００３２】
いくつかの態様にしたがうと、フェムトセル上のアプリケーションプロキシは、移動体デバイスに関係する被プロキシアプリケーションの代わりに、ネットワークにキープアライブメッセージを送ることができる。アプリケーションプロキシはまた、同期化メッセージに応答して、ネットワークからのメッセージを更新できる。被プロキシアプリケーションの例はインスタントメッセージアプリケーションである。このケースでは、フェムトセル上で実行しているアプリケーションプロキシが、周期的なキープアライブメッセージを送って、遠隔ピアからプレセンス更新を受信し、移動体クライアントの代わりに周期的なプレセンス更新を提供し、プレセンスプローブを取り扱っている間、移動体クライアント（例えば、移動体デバイス）はスリープできる。
【００３３】
被プロキシアプリケーションの別の例は、ＶｏＩＰ（ボイスオーバーインターネットプロトコル）アプリケーションプロキシであるとすることができる。移動体クライアントは、スリープし、ＶｏＩＰアプリケーションピアについての最新の更新情報と同期化するために周期的にウェイクアップすることが許可され得る。例えば、移動体クライアント上のＶｏＩＰアプリケーションは、フェムトセル上のそのワイヤレスＶｏＩＰアプリケーションプロキシと、１分に一度（または、異なる時間において）同期化できる。移動体クライアントは、アプリケーションプロキシとの同期化イベントの後、かつ、アプリケーションプロキシとの次の同期化ベントの前のスリープ間隔の間、スリープできる。このスリープ期間の間、ＶｏＩＰプロキシは、移動体クライアント上のＶｏＩＰアプリケーションの代わりに、ネットワークと対話し、対象のピアに関する更新を受信して、更新をピアに提供し、キープアライブメッセージを送り、ネットワーク同期化要求に応答する等できる。ＶｏＩＰプロキシは、移動体クライアントとの次の同期化イベントにおいて、移動体クライアントに集合的な更新を提供するために、すべての更新情報を集約できる。加えて、または、オプション的に、この集合的な更新は、インスタントメッセンジャーアプリケーションのような他の被プロキシアプリケーションからの集合的な更新を含めることができる。このプロセスは、到来音声通話のような著しいイベントがあるまで継続できる。著しいイベントが起こるとき、移動体クライアントのユーザが音声通話を受信できるように、ＶｏＩＰアプリケーションプロキシは、移動体クライアントをウェイクアップさせることができる。このような時、ＶｏＩＰアプリケーションプロキシを休眠させることができる。しかしながら、他のアプリケーション（インスタントメッセンジャーアプリケーションまたはｅメールアプリケーション）は、望まれる場合に、フェムトセル上でプロキシされ続けることができる。代替的に、または、加えて、クライアントからの入力に基づいて、あるいは、音声通話を開始する移動体クライアントデバイスのユーザのような、被プロキシアプリケーションに関するアクションを行うことを望む移動体クライアントのユーザ、または、インスタントメッセージもしくはｅメールを送ることを望む移動体クライアントのユーザのアクティビティに基づいて、アプリケーションに対するプロキシサポートはディセーブルできる。
【００３４】
フェムトセルからのオプション的なデータ中継は、データ配信のための１つ以上の側波帯データパスを使用して、追加のエネルギーセービングを提供できる。ウェブ、ｅメール、インスタントメッセージングアプリケーションとともに、他のアプリケーションに対しても、サポートを提供できる。ＷＷＡＮ通信に対する責任は、プロキシ（つまり、フェムトセル）に移行できる。ある例では、側波帯の１つはブルートゥースに対するものであり得え、それは、およそ３０ｍＡのアクティブモード電流を有するかもしれない。ＷＷＡＮデータ通信は、平均して１５０ｍＡであると仮定し、プラットフォーム上のローカルアプリケーション処理に対してＸｍＡを仮定する。データ処理時間にＴ秒かかる（かつ、ＷＷＡＮリンクおよびブルートゥースリンクは、類似した帯域幅を有すると仮定する）場合に、相対的なエネルギーセービングは、（（Ｘ＋１５０ｍＡ）−（Ｘ＋３０ｍＡ））Ｔ＝１２０ＴｍＡｓにより表現できる。
【００３５】
図３は、ある態様にしたがうと、フェムトセルにおけるアプリケーションプロキシサポートのためのシステム３００を図示している。移動体デバイスは、異なる到着レート、遅延特性および帯域幅要件を有するさまざまなタイプのアプリケーションをサポートするように構成することができる。アプリケーションに関連する情報を処理するためのエネルギー状態遷移で消失される多量のエネルギーが存在し得る。移動体デバイスがより低いエネルギー状態に遷移すべきであるとＷＷＡＮが提案するのを待つ間にも、多量のエネルギーが消失され得る。システム３００は、粗粒度ワイヤレスアプリケーションプロキシサポートをフェムトセル上で提供するように構成できる。粗粒度ワイヤレスアプリケーションプロキシサポートは、移動体デバイスに対するデータをバッファして、移動体デバイスへのデータの配信をどのくらい遅延させるか（または、遅延させないか）を決定するために使用できる、データに対する分類を含めることができる。移動体デバイス上でエネルギーセービングを提供するよう試行するために、側波帯制御シグナリングメカニズムを持つ２次ＷＷＡＮ状態を利用できる。いくつかの態様にしたがうと、システム３００は、フェムトセル上で細粒度プロキシを利用するように構成でき、ここで、フェムトセルは、移動体デバイス上のアクティブアプリケーションのサブセットに対して、各移動体デバイスに対するアプリケーションプロキシを実行できる。
【００３６】
システム３００中には、ある態様にしたがった、フェムトプロキシのようなプロキシ３０２であり得るワイヤレス通信装置が備えられている。プロキシ３０２は、移動体デバイス３０４と通信し、移動体デバイス３０４上でのエネルギーを節約するよう試行するように構成されている。プロキシ３０２は、ワイヤレスリンクを通して移動体デバイス３０４に対して利用可能である。
【００３７】
プロキシ３０２は、情報をバッファして、移動体デバイス３０４に情報を配信できる粗粒度ワイヤレスアプリケーションプロキシを提供し、移動体デバイス３０４状態遷移を管理できる。いくつかの態様にしたがうと、プロキシ３０２は、各移動体デバイス上でアクティブなアプリケーションに対して、（複数の移動体デバイスを有するシステム中の）各移動体デバイスに対するアプリケーションプロキシを実行できる細粒度プロキシであり得る。
【００３８】
移動体デバイス３０４は、図２を参照して議論したような、さまざまな状態を実行できる。例えば、移動体デバイス３０４はＷＷＡＮスタックを実行するように試行できる。しかしながら、ここで議論するプロキシによって、移動体デバイス３０４は、移動体デバイス３０４上でエネルギーを節約するように試行するのに利用できる１つ以上の側波帯を有することができる。例えば、プロキシ３０２および移動体デバイス３０４は、通常状態と、側波帯パスに対する少なくとも１つの並列接続とを有することができる。
【００３９】
図４は、ある態様にしたがった、移動体デバイスがネットワークと通信中であるかもしれない休眠状態を含む、状態４００を概略化したものを図示している。アイドル状態２０２、セル＿ＰＣＨ状態２０４、セル＿ＦＡＣＨ状態２０６およびセル＿ＤＣＨ状態２０８を含む、ＷＷＡＮスタックに対するＷＷＡＮ状態２００が図示されている。加えて、側波帯パス４０２中に状態が存在する。１つの側波帯パス４０２のみが図示されているが、フェムトセルと移動体デバイスとの間の異なるエアリンク（例えば、ブルートゥース、ワイヤレスローカルエリアネットワーク（ＷＬＡＮ）、ＷＷＡＮ、ウルトラワイドバンド（ＵＷＢ）、ピアツーピア等）をサポートする異なる側波帯パスのような、１つより多い側波帯パスが存在し得る。
【００４０】
側波帯パス４０２は、ＷＷＡＮ状態２００のそれぞれの休眠バージョンを提供し、休眠アイドル−ＳＢＣｔｒｌ状態４０４、休眠ＰＣＨ−ＳＢＣｔｒｌ状態４０６、休眠ＦＡＣＨ−ＳＢＣｎｔｒｌ状態４０８および休眠ＤＣＨ−ＳＢＣｎｔｒｌ状態４１０を含む。側波帯パス４０２は、（図３の）プロキシ３０２と移動体デバイス３０４との間でデータを交換するために利用できる。データは、側波帯パス４０２により制御され、移動される。したがって、移動体デバイス３０４は、ＤＣＨ状態であるとすることができるが、ＷＷＡＮリンクに関係する限り休眠中であり、側波帯に関係する限りアクティブである。
【００４１】
続けて図３を参照すると、プロキシ３０２は、第１の状態（Ｓ１状態３０６）および第２の状態（Ｓ２状態３０８）として図示されているように、移動体デバイス３０４に対して少なくとも２つの状態を維持するように構成されている。Ｓ１状態３０６は、移動体デバイス３０４に対するＷＷＡＮ提案状態（例えば、ＷＷＡＮ状態２００）であるとすることができ、ＷＷＡＮ３１０とのプロキシ３０２対話に対して維持できる。Ｓ２状態３０８は、移動体デバイス３０４とのプロキシ３０２対話に対して維持されるプロキシ３０２最適化状態（例えば、側波帯パス４０２）である。さまざまなプロトコル（例えば、ブルートゥース、ワイヤレスローカルエリアネットワーク（ＷＬＡＮ）等）のうちのそれぞれに対する異なる状態のような、複数のＳ２状態が存在し得る。いくつかの態様にしたがうと、Ｓ２状態３０８は、Ｓ１状態３０６のエネルギーレベルに比べて（例えば、より少ないエネルギーを消費する）より低いエネルギーレベルであるとすることができる。データレートまたは他の基準（例えば、分類）の関数として、プロキシ３０２は、Ｓ１状態３０６またはＳ２状態３０８を利用することを決定できる。例えば、データが高いデータレートを要求し、Ｓ１状態３０６が帯域幅に関して低い容量を有している場合に、プロキシ３０２は、データを移動体デバイス３０４に転送するのにＳ１状態を使用することを決定できる。利用されている状態にかかわらず、ＷＷＡＮ３１０は、移動体デバイス３０４がＳ１状態であることを考慮（すなわち、仮定）でき、Ｓ２状態３０８に気付く必要はない。
【００４２】
移動体デバイス３０４に向けられているＷＷＡＮ３１０からのデータは、プロキシ３０２の受信機コンポーネント３１２により受信できる。例えば、受信機コンポーネント３１２は、移動体デバイス３０４に向けられているデータの第１のサブセットをＷＷＡＮ３１０から受信できる。いくつかの態様にしたがうと、受信機コンポーネント３１２は、ＷＷＡＮ３１０に、または、別のデバイスに向けられているデータを移動体デバイス３０４から受信できる。別の態様にしたがうと、受信機コンポーネント３１２は、データを別のコンポーネントから受信でき、データは、移動体デバイス３０４、ＷＷＡＮ３１０または別のデバイスに向けられている。
【００４３】
プロキシ３０２により中継される、ＷＷＡＮ３１０から移動体デバイス３０４へのデータは、プロキシ３０２により処理される。プロキシ３０２は、ＷＷＡＮ３１０からのデータを移動体デバイスに伝達するように構成されている。いくつかの態様にしたがうと、プロキシ３０２は、移動体デバイス３０４の代わりにＷＷＡＮ３１０に応答する。
【００４４】
例えば、プロキシ３０２により処理されるデータの第１のセットは、バッファコンポーネント３１４によりバッファできる。バッファコンポーネント３１４は、移動体デバイス３０４への後の送信のために、受信されたデータを選択的にバッファする。データは、さまざまな持続期間、短期間および長期間の双方の間バッファできる。データの第１のサブセットは、送信コンポーネント３１６により移動体デバイス３０４に送られる。データの第１のサブセットは、データの第１のサブセットに関係する遅延の満了の後に、第１のワイヤレスリンクを通して送ることができる。ある態様にしたがうと、遅延は、動的に構成可能である。いくつかの態様にしたがうと、データはバッファされず、直ちに、または、実質的に直ちに、移動体デバイス３０４に送られる。これは、分類の関数として、または、他のパラメータ（例えば、ユーザのプリファレンス）に基づいて決定できる。したがって、いくつかの態様にしたがうと、プロキシ３０２は、アプリケーションの第１のサブセットに対するパススルーとして、および、アプリケーションの第２のサブセットに対するプロキシとして動作する。いくつかの態様にしたがうと、プロキシ３０２による処理は、データの第１のサブセットを移動体デバイス３０４に送信するか否かの決定を含み、第１のサブセットは、決定に基づいて、移動体デバイス３０４に選択的に送られる。
【００４５】
いくつかの態様にしたがうと、バッファコンポーネント３１４は受信データを集約する。例えば、許容可能な遅延時間、分類、サービスの品質、アプリケーションタイプ、構成可能な選択またはこれらの組み合わせに基づいて、データを集約できる。
【００４６】
各分類に対する許容可能な遅延時間は、カテゴリ化コンポーネント３１８により維持でき、データ／アプリケーションの遅延許容差に基づくとすることができる。カテゴリ化コンポーネント３１８は、各分類に対していずれのパス（例えば、ＷＷＡＮパス、側波帯パス）を利用するかに関連する情報を維持でき、いずれのパスを利用するかは、データ／アプリケーションに対して必要とされる帯域幅に基づくとすることができる。いくつかの態様にしたがうと、各分類（例えば、許容可能な遅延時間、必要な帯域幅等）のレベルは構成可能である。
【００４７】
いくつかの態様にしたがうと、移動体デバイスに対して供給されるアプリケーションは、複数のクラスに分類することができる。所定の時間においてアクティブなアプリケーションが遅延に対して耐性がある場合に、データをバッファすることができ（データの集約にすることができ）、移動体デバイスは、プロキシ３０２において受信されるのと実質的に同時にデータが送られる場合に移動体デバイスがウェイクアップすることになるよりも頻繁にウェイクアップする必要がない。例えば、アクティブな音声通話またはストリーミングビデオがない場合に、移動体デバイスは、２０ミリ秒毎にウェイクアップする必要はなく、または、音声通話もしくはストリーミングビデオがアクティブであるならば、ウェイクアップすることになるだろう。したがって、アプリケーションが到着ｅメールである場合に、そのｅメールは遅延に対して耐性があるとすることができ、移動体デバイスは、およそ２分毎にのみウェイクアップする必要があってもよい（例えば、ｅメールは直ぐに送られる必要がない）。
【００４８】
データの分類は、ネットワーク（例えば、ＷＷＡＮ３１０）が情報をプロキシ３０２に送るときに、データヘッダ中に含めることができる。ヘッダ中に含まれている場合に、分類は、データのおよそ３ビットを占有するかもしれない。代替的に、または、加えて、移動体デバイス３０４は、所望の効果的な（最高の）クラスをプロキシ３０２に提供できる分類コンポーネント３２０を備えることができる。
【００４９】
ある例では、データまたは移動体デバイスアプリケーションは、サービスの品質（ＱｏＳ）の関数として分類でき、８個のＱｏＳクラスに細分できる。この例の中での８個のＱｏＳクラスは、クラス７、クラス６、クラス５、クラス４、クラス３、クラス２、クラス１およびクラス０である。クラス７は、直ちに、または、実質的に直ちに、配信すべき遅延クリティカルな情報に対して予約されている。クラス７データの例は、到来音声通話である。クラス６は、高データレートにおいて送信すべきである遅延に敏感なデータ／アプリケーションに対するものである。クラス５は、低データレートにおいて送信できる遅延に敏感なデータ／アプリケーションに対するものである。クラス４は、一定の高データレートにおいて送るべきである遅延に対して耐性があるデータ／アプリケーションに対するものである。クラス３は、バースト的な高データレートにおいて送るべきである遅延に対して耐性があるデータ／アプリケーションに対するものである。クラス２は、一定の低データレートにおいて送るべきである遅延に対して耐性があるデータ／アプリケーションに対するものである。バースト的な低データレートにおいて送ることができる遅延に対して耐性があるデータ／アプリケーションは、クラス１としてカテゴリ化される。ゆっくり配信できるアドバタイズメントのような、遅延クリティカルではないデータは、最低レベル、つまり、クラス０によりカテゴリ化できる。しかしながら、他の分類スキームも利用できる。
【００５０】
いくつかの態様にしたがうと、分類コンポーネント３２０は、移動体デバイス３０４のユーザインターフェース（例えば、ディスプレイ、キーパッド等）に関係付けることができる。ユーザは、ユーザインターフェースと対話して、分類コンポーネント３２０により保持され通信される（分類を含む）情報を構成できる。例えば、データの分類は、移動体デバイス上で実行されているアプリケーションに基づいて構成できる。アクティブなそれらのアプリケーションに対して、遅延許容差および必要な帯域幅は、動的に変更でき、移動体デバイスがデータまたはデータの集約を受信する前のスリープできる時間の長さに影響を与えることができる。
【００５１】
いくつかの態様にしたがうと、プロキシ３０２は、受信されることになるデータトラフィックに気付いており、カテゴリ化コンポーネント３１８および／またはバッファコンポーネント３１４は、移動体デバイス３０４に関係付けられているデータの分類を持つ到着するトラフィックに対応する内部マッピングを維持できる。例えば、カテゴリ化コンポーネント３１８は、クラス４アプリケーションが到着していることに気付いてもよく、移動体デバイス３０４に配信される前の９０秒間クラス４アプリケーションをホールドできる構成にそのアプリケーションを対応させる。このケースでは、到来データは、バッファされて９０秒以内に配信される。これもクラス４アプリケーションである他のデータが前もって受信されている場合には、双方のデータを集約して、前もって受信されたデータに対する残りの時間（例えば、９０秒より短い時間）以内に送ることができる。プロキシ３０２および移動体デバイス３０４は、各分類に対して前もって構成されている、設定、許容できる遅延および性能を有することができる。分類に基づいて、プロキシ３０２および移動体デバイス３０４は、低データレートリンク（Ｓ２状態）または高データレートリンク（Ｓ１状態）を使用することを決定できる。
【００５２】
いくつかの態様にしたがうと、（ブルートゥースに対する側波帯、ＷＷＡＮに対する側波帯、ＷＬＡＮに対する側波帯等のような）複数の側波帯パスが存在する。利用する特定の側波帯パスは、プロキシ３０２と移動体デバイス３０４との間で確立されたプリファレンスの関数として決定され、データの分類中で示すことができる。いくつかの態様にしたがうと、利用されることになる側波帯パスは、データ／アプリケーションのタイプの関数、または、他の基準であるとすることができる。
【００５３】
アプリケーション毎ベースの分類も存在できる。例えば、クラス１の３つのアプリケーションと、クラス６の１つのアプリケーションとが存在できる。クラス６アプリケーションが到着したか、または、クラス１アプリケーションが到着したかに依存して、プロキシは異なって動作する。すべてのアプリケーションが、プロキシにおいて受信されるのと実質的に同時に移動体デバイスに配信されるように、プロキシを構成することも可能である。したがって、すべてのアプリケーションを１つのクラスにつぶすことができ、異なるアプリケーション間で区別する必要はない。
【００５４】
プロキシ３０２は、状態Ｓ２ ３０８を利用するときに、状態Ｓ１ ３０６に気付いている。プロキシ３０２中には、Ｓ２ ３０８の利用可能性を監視するように構成されている観測コンポーネント３２２が備えられている。時々、状態Ｓ２ ３０８に関係付けられている制御側波帯が利用不可能になるかもしれず、または、ディセーブルされているかもしれない。観測コンポーネント３２２による監視が、状態Ｓ２ ３０８が利用可能ではないことを示す場合に、通知コンポーネント３２４は、状態Ｓ１ ３０６へ遷移するように移動体デバイス３０４に命令できる。
【００５５】
いくつかの態様にしたがうと、データ分類はサービスの品質（ＱｏＳ）レベルに基づくとすることができる。ＱｏＳレベル（または、他の分類）の関数として、受信したデータの少なくともサブセットを、移動体デバイス３０４への後の送信のために、バッファコンポーネント３１４により維持できる。いくつかの態様にしたがうと、ＱｏＳレベル（または、他の分類）に基づいて、受信データの少なくともサブセットを、直ちに、または、実質的に直ちに、移動体デバイス３０４に伝達できる。受信データのサブセットが、直ちに、または、実質的に直ちに、伝達されることになる場合に、通知コンポーネント３２４は、側波帯パスのようなエアリンクを通して、移動体デバイス３０４をウェイクアップさせるように構成されている。エアリンクを通して移動体デバイスをウェイクアップすることは、プロキシにより、ＷＷＡＮ３１０が移動体デバイスをどの程度速くウェイクアップさせることができるかに比べて、より速く実行できる。いくつかの態様にしたがうと、プロキシ３０２は、ネットワークが移動体デバイス３０４をＦＡＣＨまたはアイドル状態に送るよりも速く、移動体デバイスをこれらの状態に送ることができる。
【００５６】
いくつかの態様にしたがうと、プロキシ３０２は、異なる分類からのデータを集約し、集約データをデータバースト中で移動体デバイス３０４に配信できる。データバーストの送信の後に、プロキシ３０２は、低エネルギーモードへ遷移して戻るように移動体デバイス３０４に命令できる。バッファコンポーネント３１４においてデータを集約することにより、移動体デバイス３０４は、長い時間期間の間スリープする（または、アイドル状態のままでいる）ことができるようになり、これは、移動体デバイスリソースを節約するのを支援できる。
【００５７】
例えば、データは、プロキシ３０２により取り扱われるかもしれず、ユーザ構成に基づいて、または、他のパラメータ（例えば、データタイプ、アプリケーションタイプまたは他の基準）に基づいて決定できる利用可能な重要なデータが存在するときに、移動体デバイス３０４はウェイクアップされる。いくつかの態様にしたがうと、プロキシ３０２は、ページのようなブロードキャストチャネルを通して移動体デバイス３０４をウェイクアップさせることができる。いくつかの態様にしたがうと、プロキシ３０２および移動体デバイス３０４は、周期的なウェイクアップにあり、ここで、１分に一度等で、デバイスはデータを交換する。しかしながら、さまざまな態様にしたがった、データを通信する他の方法も可能である。
【００５８】
例えば、上記の例のクラスを使用して、クラス０からのデータが受信されてバッファされている。クラス７からのデータは到着し、直ちに配信すべきである。クラス７が到着しているという表示が、側波帯パスを通してシグナリングされる。クラス７データが配信されるとき、バッファされているクラス０データはピギーバックされ、クラス７データが配信された後に送られることができる。いくつかの態様にしたがうと、クラス０データはバッファされたままを保ち、異なる時間において送ることができる。
【００５９】
以下のものは、ある態様にしたがった例示的なＤＣＨモードアプリケーションである。毎分に一度到着する、５０Ｋバイトまたは４００Ｋビットのバースト的なデータが存在する（例えば、１分に一度到着するｅメール）。４００Ｋｂｐｓの ＷＷＡＮリンクは、このデータを１秒で転送できる。この例に対して、ＤＣＨからＦＡＣＨへのアイドル時間は１５秒であると仮定する。フェムト移動体デバイス対話が状態Ｓ２を使用する場合に、移動体デバイスは、その１５秒内に到着しないかもしれない、より多くのデータを待って（エネルギーを無駄にして）さらに１５秒の間ＤＣＨモードのままで保たなければならない。フェムト移動体デバイス対話が状態Ｓ２を使用する場合に、移動体デバイスは、Ｙ秒の間ＤＣＨモードのままでいることができ、ここで、Ｙは、１５秒よりも短く（Ｙ＞１５秒）、その後、休眠ＤＣＨモードへ遷移できる。ブルートゥース制御（Ｃｎｔｒｌ）側波帯は、休眠ＤＣＨモードにおいてアクティブである。移動体デバイスは、ブルートゥーススニフモードのままであり、周期的にウェイクアップする。ＤＣＨモードでは平均２０１ｍＡが消費され、ＢＴＣｎｔｒｌ側波帯を持つ休眠ＤＣＨモードでは１ｍＡの平均電流が消費されると仮定する。Ｙ＝２秒である場合に、ＤＣＨモードを出る前の１５秒の間にセーブされるエネルギーは、（（（２０１−１）（１５−Ｙ））＝（２００＊１３）＝２６００ｍＡから導出される）２６００ｍＡである。各状態機械において遷移する状態に依存して、次の到着までさらなるエネルギーをセーブできる。
【００６０】
いくつかの態様にしたがうと、プロキシ３０２は、細粒度ワイヤレスアプリケーションプロキシサポートを提供するように構成できる。プロキシ３０２は、複数のアプリケーションプロキシを含むことができ、移動体デバイス上でアクティブであるそれらのアプリケーションに対して、各移動体デバイスに対するアプリケーションプロキシ３２６を実行できる。プロキシ３０２は、各移動体デバイス３０４上でアクティブなアプリケーション３３０を識別するように構成されているステータスコンポーネント３２８を備えることができる。アプリケーションプロキシ３２６は、アクティブなアプリケーション３３０の１つ以上のものに対して動作する。各アプリケーションプロキシ３２６は、データをバッファするように構成されている。バッファされたデータは、構成可能な遅延に基づいて、移動体デバイスに配信される。細粒度ワイヤレスアプリケーションプロキシサポートに対する構成は、プロキシへのアプリケーションの明示的なポーティングを含めることができる。アプリケーションプロキシは、（１つ以上のアクティブなアプリケーションに対して）ネットワークからデータを受信してバッファし、構成可能な遅延に基づいてデータを移動体デバイスに配信する。遅延が長ければ長いほど、移動体デバイス上でセーブできるエネルギーがより多くなる。例えば、ｅメールアプリケーションが実行している。ｅメールデータは、アプリケーションプロキシにより受信され、後の時間において、移動体デバイスと同期化される。移動体デバイスに対するすべてのデータをフェムトプロキシ上で受信することが可能である。いくつかの態様にしたがうと、フェムトプロキシは、移動体デバイスがフェムトプロキシと通信していない（例えば、フェムトプロキシがインストールされている家から離れている）ときに、動作して、移動体デバイスに対するデータを受信できる。移動体デバイスがフェムトプロキシとの接続を獲得するときに、移動体デバイスは、フェムトプロキシによりバッファされたデータを受信する。アプリケーションプロキシは、移動体デバイスがフェムトプロキシの範囲内にいるという観点から、活発にアクティブであるとすることができる。アプリケーションプロキシは、たとえ移動体デバイスがフェムトプロキシの領域内になくても、アクティブであり、移動体デバイスに対するデータを受信することができる。移動体デバイスは、フェムトプロキシをセットアップでき、例えば、無線で送られるアドバタイズメントをフェムトプロキシによって受信し、バッファすべきであるということを示すことができる。後に、移動体デバイスは、望まれる場合に、フェムトプロキシからアドバタイズメントを取り出すことができる。
【００６１】
いくつかの態様にしたがうと、アプリケーションプロキシ３２６は、移動体デバイス３０４に関係する被プロキシアプリケーション（例えば、インスタントメッセンジャーアプリケーション、ＶｏＩＰアプリケーション等）の代わりに、ネットワークにキープアライブメッセージを送ることができる。アプリケーションプロキシ３２６はまた、同期化メッセージに応答して、ネットワークからのメッセージを更新できる。
【００６２】
いくつかの態様にしたがうと、移動体デバイス３０４の代わりに、１つ以上のアプリケーションプロキシがネットワーク（および他のデバイス）と通信する間に、移動体デバイス３０４はスリープできる。３３２において示されている、被プロキシアプリケーションに関係する著しいイベント（例えば、音声通話）がネットワークから受信される場合に、アプリケーションプロキシ３２６は、移動体デバイス３０４とプロキシ３０２との間の少なくとも１つのワイヤレスリンクを通して、移動体デバイス３０４にウェイクアップメッセージ３３４を送ることができる。移動体デバイス３０４のユーザが音声通話または他の著しいイベントを受信できるように、ウェイクアップメッセージ３３４により、移動体デバイス３０４をウェイクアップさせることができるようになる。
【００６３】
いくつかの態様にしたがうと、移動体デバイス最適化状態をフェムトプロキシにおいてサポートできる。必要な場合に、移動体デバイス特有なデータをフェムトプロキシにおいてバッファできる。フェムトプロキシは、少数のクライアント（例えば、移動体デバイス）のみをサポートすることから、フェムトプロキシは、各移動体デバイスに対するＷＷＡＮ電力状態最適化に対しての追加の処理を実行するように構成できる。移動体デバイス最適化状態遷移遅延は、音声のみ、ｅメールおよび音声、ウェブおよび音声、ｅメールおよびインスタントメッセージアプリケーション、ならびに、ウェブおよび音声のような、移動体デバイスの現在の必要性に基づいて構成できる。
【００６４】
いくつかの態様にしたがうと、フェムトプロキシは、ブルートゥース制御シグナリング側波帯を使用するとき、移動体デバイス最適化されたより低いエネルギー状態（例えば、Ｓ状態）をフェムトプロキシにおいてサポートできる。フェムトプロキシは、現在の利用率、フェムトプロキシにおけるバッファリング能力、フェムトプロキシにおけるアプリケーションアウェアネス、ブルートゥース制御シグナリング側波帯パスを通した応答時間、または、これらの組み合わせに基づいて、Ｓ２状態を選択できる。
【００６５】
ある態様にしたがうと、ネットワークの残りのものが、移動体デバイスに対するより高いエネルギー／データレート状態Ｓ１に対してリソースを維持している間に、フェムトプロキシは、積極的に移動体デバイスを状態Ｓ２に電力ダウンできる。
【００６６】
メモリ３３６は、プロキシ３０２に動作可能に結合できる。メモリ３３６は、プロキシ３０２の外部にあるとすることができ、または、プロキシ３０２内に存在することができる。メモリ３３６は、アプリケーションプロキシに関連する情報と、通信ネットワーク中で送受信される信号に関連する他の適切な情報とを記憶できる。
【００６７】
メモリ３３６は、移動体デバイスのワイヤレスワイドエリアネットワークとの通信をサポートすることと、移動体デバイスに関係するアプリケーションのサブセットに対してアプリケーションプロキシサポートを提供することとに関連する命令を保持できる。メモリ３３６は、移動体デバイスに向けられているデータの第１のサブセットをワイヤレスワイドエリアネットワークから受信することと、移動体デバイスへの後の送信のために、データの第１のサブセットをバッファすることと、データの第１のサブセットに関係する遅延の満了の後に、第１のワイヤレスリンクを通してデータの第１のサブセットを移動体デバイスに伝達することとに関連するさらなる命令を保持できる。
【００６８】
いくつかの態様にしたがうと、メモリ３３６は、移動体デバイスに関係するアプリケーションのサブセットに対して少なくとも２つの状態を維持することに関連するさらなる命令を保持する。維持することに関連する命令は、通信装置とワイヤレスワイドエリアネットワークとの間の少なくとも１つの対話に対して第１の状態を予約することと、通信装置と移動体デバイスとの間の少なくとも１つの対話に対して第２の状態を予約することとに関連する命令を含む。
【００６９】
いくつかの態様にしたがうと、メモリ３３６は、移動体デバイス上でアクティブなアプリケーションを識別することと、アクティブなアプリケーションのうちの１つ以上のものに対してアプリケーションプロキシを動作させることと、各アクティブなアプリケーションに関係付けられているデータをバッファすることと、構成可能な遅延の満了の後に、バッファされたデータを移動体デバイスに配信することとに関連するさらなる命令を保持する。
【００７０】
プロキシ３０２が、記憶されたプロトコルおよび／アルゴリズムを用いて、システム３００中で向上された通信を達成できるように、メモリ３３６は、フェムトセルにおけるアプリケーションプロキシサポートに関係するプロトコルを記憶でき、プロキシ３０２と移動体デバイス３０４等との間の通信を制御するように作用する。ここで記述したデータ記憶（例えば、メモリ）コンポーネントは、揮発性メモリまたは不揮発性メモリのいずれかであるか、あるいは、揮発性メモリおよび不揮発性メモリの双方を含むことができることを正しく認識すべきである。例として、限定ではなく、不揮発性メモリは、リードオンリーメモリ（ＲＯＭ）、プログラマブルＲＯＭ（ＰＲＯＭ）、電気プログラマブルＲＯＭ（ＥＰＲＯＭ）、電気消去可能ＲＯＭ（ＥＥＰＲＯＭ）またはフラッシュメモリを含めることができる。揮発性メモリは、外部キャッシュメモリのように機能するランダムアクセスメモリ（ＲＡＭ）を含めることができる。例として、限定ではなく、ＲＡＭは、同期ＲＡＭ（ＳＲＡＭ）、動的ＲＡＭ（ＤＲＡＭ（登録商標））、同期ＤＲＡＭ（ＳＤＲＡＭ）、ダブルデータレートＳＤＲＡＭ（ＥＳＤＲＡＭ）、エンハンスドＳＤＲＡＭ（ＥＳＤＲＡＭ）、シンクリンクＤＲＡＭ（ＳＬＤＲＡＭ）およびダイレクトラムバスＲＡＭ（ＤＲＲＡＭ（登録商標））のような、多くの形態で利用可能である。開示した態様のメモリは、限定されることなく、それら、および、適切な他のタイプのメモリを含むことを意図している。
【００７１】
少なくとも１つのプロセッサ３３８は、通信ネットワーク中のフェムトセルにおけるアプリケーションプロキシサポートに関連する情報の解析を促進するために、プロキシ３０２（および／またはメモリ３３６）に動作可能に接続できる。プロセッサ３３８は、プロキシ３０２により受信される情報を解析および／または発生させるのに専用のプロセッサ、ならびに／あるいは、プロキシ３０２の１つ以上のコンポーネントを制御するプロセッサであるとすることができる。
【００７２】
いくつかの態様にしたがうと、プロセッサ３３８は、移動体デバイスに対する通信をサポートする第１のモジュールを備えることができる。プロセッサ３３８は、移動体デバイスに関係するアプリケーションのサブセットに対してアプリケーションプロキシサポートを提供する第２のモジュールを備える。また、プロセッサ３３８中には、移動体デバイスから向けられているデータの第１のサブセットをワイヤレスワイドエリアネットワークから受信する第３のモジュールと、データの第１のサブセットを処理する第４のモジュールとが備えられている。
【００７３】
いくつかの態様にしたがうと、プロセッサ３３８は、移動体デバイスへの後の送信のために、データの第１のサブセットをバッファする第５のモジュールを備える。プロセッサ３３８４はまた、データの第１のサブセットに関係する遅延の満了の後に、第１のワイヤレスリンクを通してデータの第１のサブセットを移動体デバイスに伝達する第６のモジュールを備える。遅延は、動的に構成可能であるとすることができる。
【００７４】
図５は、ある態様にしたがった、プロキシ（例えば、フェムトプロキシ）における、移動体デバイス最適化ＷＷＡＮ状態に対する例示的なシステム５００の概略化したものを図示している。移動体デバイス５０２は、ＷＷＡＮプロトコルリンク５０４を通して、ならびに、ブルートゥースリンクまたは代替的な短距離プロトコルリンクもしくは他のプロトコルリンク（例えば、側波帯パス）のような、１つ以上の他のリンク５０６を通して、通信するように構成されている。プロキシ５０８は、トンネル５１０を通してネットワークと通信できる。プロキシ５０８は、移動体デバイス５０２の状態を最適化するよう試行する際に、データをバッファして、データを移動体デバイス５０２に配信することができる。いくつかの態様にしたがうと、データは、ＷＷＡＮプロトコルリンク５０４上では伝送されないが、他のリンク５０６（例えば、ピアツーピア、ＵＷＢ、ブルートゥース等）のうちの１つを通して伝送される。プロキシ５０８は、移動体デバイスに対する汎用ＷＷＡＮネットワーク状態５１２、移動体デバイス制御／データバッファリング状態５１４、および／または、移動体デバイスに対するプロキシ最適化ＷＷＡＮ状態５１６のような、異なる状態であるとすることができる。プロキシ５０８と移動体デバイス５０２との間で、データをいつ送るか（例えば、許容できる遅延）に関連する構成を存在させることができる。
【００７５】
上記で示し、記述した例示的なシステムの観点から、開示した主題項目にしたがって実現してもよい方法論は、さまざまなフローチャートを参照すると、より正しく認識されるだろう。説明の簡略化の目的のために、方法論は、一連のブロックとして示され記述されているが、いくつかのブロックは、ここに示され記述されているものとは異なる順序で、ならびに／あるいは、他のブロックと同時に、起こることがあるので、特許請求した主題項目は、ブロックの数または順序により限定されないことを理解すべきであり、正しく認識すべきである。さらに、ここに記述した方法論を実現するために、すべての図示したブロックを必要としなくてもよい。ブロックに関係する機能性は、ソフトウェアにより、ハードウェアにより、これらの組み合わせにより、または、他の何らかの適切な手段（例えば、デバイス、システム、プロセス、コンポーネント）により、実現してもよいことを正しく認識すべきである。加えて、この明細書全体を通して開示した方法論は、このような方法論をさまざまなデバイスに伝送および転送することを促進するために、製造品に記憶させることが可能であることをさらに正しく認識すべきである。方法論は、状態ダイヤグラム中のような、一連の相互に関係する状態またはイベントとして、方法論を代替的に表すことができることを当業者は理解し、正しく認識するだろう。
【００７６】
図６は、ある態様にしたがった、ワイヤレスノードにおける通信環境中で使用する方法６００を図示している。方法６００は、移動体のワイヤレスワイドエリアネットワーク（ＷＷＡＮ）との通信がサポートされる６０２において開始する。移動体デバイスは、第１のワイヤレスリンクを通してワイヤレスノードにアクセス可能である。６０４において、移動体デバイスに関係するアプリケーションのサブセットに対してワイヤレスノードにおいてアプリケーションプロキシサポートが提供される。
【００７７】
いくつかの態様にしたがうと、ワイヤレスノードにより、第２のワイヤレスリンクを通して、データの第１のサブセットが移動体デバイスに配信される。ワイヤレスノードと移動体デバイスとの間のワイヤレス通信に対するエネルギー利用を最小化するために、第１のワイヤレスリンクおよび／または第２のワイヤレスリンクを選択できる。いくつかの態様にしたがうと、移動体デバイスとワイヤレスノードとの間の少なくとも１つのワイヤレスリンクは暗号化されている。第２の状態の利用可能性は、第２のワイヤレスリンクの利用可能性に依存する。いくつかの態様にしたがうと、ワイヤレスノードはフェムトセルである。いくつかの態様にしたがうと、移動体デバイスに関係するアプリケーションのサブセットは、移動体デバイスに関係するすべてのアプリケーションを含む。
【００７８】
いくつかの態様にしたがうと、方法６００は、移動体デバイス上でアクティブなアプリケーションを識別することと、識別されたアクティブなアプリケーションのうちの１つ以上のものに対してアプリケーションプロキシを実行することとを含む。
【００７９】
いくつかの態様にしたがうと、方法６００は、被プロキシアプリケーションに関係する著しいイベント（例えば、音声通話、緊急呼び出し、緊急テキストメッセージ）の到着のときに、移動体デバイスとワイヤレスノードとの間の少なくとも１つのワイヤレスリンクを通して、移動体デバイスをウェイクアップさせることを含む。
【００８０】
図７は、ある態様にしたがった、ワイヤレスノードにおける通信環境中で使用する別の方法を図示している。６０２において、移動体デバイスのＷＷＡＮとの通信をサポートし、６０４において、移動体デバイスに関係するアプリケーションのサブセットに対してアプリケーションプロキシサポートを提供する。アプリケーションプロキシサポートを提供することは、７０２において、移動体デバイスに向けられているデータの第１のサブセットをＷＷＡＮから受信することと、７０４において、データの第１のサブセットを処理することとを含めることができる。
【００８１】
いくつかの態様にしたがうと、７０４における処理することは、移動体デバイスへの後の送信のために、データの第１のサブセットをバッファすることを含む。データの第１のサブセットは、構成可能な選択、許容可能な遅延時間、分類、サービスの品質、アプリケーションタイプまたはこれらの組み合わせの関数として、バッファできる。いくつかの態様にしたがうと、第１サブセットは、移動体デバイスへの後の送信のためにバッファできる。例えば、第１のサブセットは、遅延に対して耐性があるデータであるとすることができる。ある態様にしたがうと、データのヘッダ中で分類が受信される。いくつかの態様にしたがうと、分類は、データを受信する前に（または、データを受信するのと実質的に同時に）移動体デバイスから取得される。例えば、分類は、移動体デバイスのユーザによって構成し、フェムトセルに通信できる。
【００８２】
いくつかの態様にしたがうと、データをバッファすることは、異なる分類からのデータを集約することを含む。異なる分類は、（例えば、ゆっくり配信、バースト低データレート、一定の低データレート、バースト的な高データレート等）異なるデータレートにおいて送ることができる、遅延に耐性があるデータに対しての分類であるとすることができる。集約データは、データバースト中で移動体デバイスに伝達できる。例えば、データは、選択された時間期間（例えば、５分間）に対して集約されるかもしれない。間隔の満了の後に、集約されたデータが送信される。集約データの受信の後に低エネルギーモードに入るように、移動体デバイスに命令できる。
【００８３】
７０８において、データの第１のサブセットは、データの第１のサブセットに関係する遅延の満了の後に、第１のワイヤレスリンクを通して移動体デバイスに伝達される。遅延は、動的に構成可能であるとすることができる。いくつかの態様にしたがうと、処理することはまた、データの第１のサブセットを移動体デバイスに送信するか否かを決定することを含み、伝達は決定に基づいて実行される。いくつかの態様にしたがうと、７０４における処理することは、７１０において、移動体デバイスに関係する被プロキシアプリケーションの代わりに、ＷＷＡＮに通信することを含む。
【００８４】
いくつかの態様にしたがうと、方法７００は継続し、７１２において、データの第２のサブセットが受信される。７１４において、データの第２のサブセットがバッファされる。いくつかの態様にしたがうと、７１４におけるバッファすることは、データを集約することを含み、伝達することは、データバースト中で集約データを移動体デバイスに配信することを含む。方法７００はまた、集約データの受信の後に低エネルギーモードに入るように、移動体デバイスに命令することを含めることができる。集約することは、分類、サービスの品質、アプリケーションタイプ、構成可能な選択、許容可能な遅延時間またはこれらの組み合わせに基づくとすることができる。
【００８５】
データの第１のサブセットが送信されるのと実質的に同時に、７１６において、データの第２のサブセットが送信される。データの第２のサブセットは、バッファでき、第２のサブセットに関係する構成可能な遅延の満了の後に、移動体デバイスに送信できる。例えば、データの第２のサブセットが、６０秒の遅延許容差を有する場合に、６０秒の満了の後、第２のサブセットを移動体デバイスに送ることができる。
【００８６】
図８は、ある態様にしたがった、アプリケーションプロキシサポートに対する通信環境中で使用する方法８００を図示している。方法８００は、データをバッファして、許容できる遅延の後に、データを移動体デバイスに配信することにより、移動体デバイスのエネルギーおよび他のリソースをセーブするように試行するように構成できる。
【００８７】
方法８００は、ワイヤレスノードによって実行でき、８０２において、移動体デバイスに対して少なくとも２つの状態を維持することで開始する。移動体デバイスは、ワイヤレスノードに既に関係付けられているとすることができる。例えば、ワイヤレスノードは、ユーザの家でインストールされているフェムトセルと一体化させることができる。ユーザ（および家族メンバ）によって使用する移動体デバイスは、フェムトセルにとって既知であるとすることができる。いくつかの態様にしたがうと、移動体デバイスは、フェムトセルの範囲中に運ばれて、フェムトセルを利用して（例えば、計画外の方法で配備される）通信を促進させるデバイスである。例えば、友人が家族を訪問しているとすることができ、その友人は家の中にいる間フェムトセルを利用できる。
【００８８】
少なくとも２つの状態は、ワイヤレスワイドエリアネットワークとの対話に対する第１の状態と、移動体デバイスとの対話に対する第２の状態とを含めることができる。８０２における維持することは、ワイヤレスノードとＷＷＡＮとの間の少なくとも１つの対話に対して第１の状態を予約することと、ワイヤレスノードと移動体デバイスとの間の少なくとも１つの対話に対して第２の状態を予約することとを含めることができる。いくつかの態様にしたがうと、第２の状態は、第１の状態のエネルギーレベルに比べて、より低いエネルギーレベルで維持される。いくつかの態様にしたがうと、第１の状態は、フェムトセルとワイヤレスワイドエリアネットワークとの間の対話に対して予約され、第２の状態は、フェムトセルと移動体デバイスとの間の対話に対して予約される。
【００８９】
いくつかの態様にしたがうと、方法８００は、８０４において、第２の状態の利用可能性を監視することで継続する。８０６において、監視が第２の状態が利用可能でないことを示す場合に、移動体デバイスを第２の状態から第１の状態へ遷移させる。いくつかの態様にしたがうと、第２の状態の利用可能性は、第２の状態の利用可能性に依存する。
【００９０】
データの第１のサブセットを第１の状態で伝達できる。例では、第１の状態または第２の状態を通して、データの第１のサブセットを伝達できる。データの第１のサブセットに対して、いずれの状態を利用するかの決定は、データに対して必要とされる帯域幅量、サービスの品質に基づき、または、他のパラメータに基づくとすることができる。データの第１のサブセットは、遅延に敏感なデータであるとすることができ、直ちに、または、実質的に直ちに、移動体デバイスに伝達すべきである。
【００９１】
いくつかの態様にしたがうと、第２の状態の利用可能性を監視することは、周期的にまたは継続的に実行される。監視することは、データが、第２の状態を通してまたは他の時間において送信されている間に起こるとすることができる。監視が第２の状態はもはや利用可能ではないかもしれないことを示す場合に、移動体デバイスを第２の状態から第１の状態へ遷移させることができる。データは第１の状態を通して移動体デバイスに伝達される。
【００９２】
いくつかの態様にしたがうと、コンピュータプログラムプロダクトは、方法のさまざまな態様を実行するためのコードを有するコンピュータ読取可能媒体を含めることができる。コンピュータ読取可能媒体は、移動体デバイスのワイヤレスワイドエリアネットワークとの通信をコンピュータにサポートさせるための第１の組のコードと、移動体デバイスに関係するアプリケーションのサブセットに対してアプリケーションプロキシサポートをコンピュータに提供させるための第２の組のコードとを含めることができる。
【００９３】
いくつかの態様にしたがうと、コンピュータ読取可能媒体は、移動体デバイスに向けられているデータの第１のサブセットをワイヤレスワイドエリアネットワークからコンピュータに受信させるための第３の組のコードと、移動体デバイスへの後の送信のために、データの第１のサブセットをコンピュータにバッファさせるための第４の組のコードとを含む。データの第１のサブセットに関係する遅延の満了の後に、第１のワイヤレスリンクを通してデータの第１のサブセットを移動体デバイスにコンピュータに伝達させるための第５の組のコードも含まれている。
【００９４】
図９は、ここで提示したさまざまな態様にしたがって、フェムトセルにおけるプロキシサポートを促進するシステム９００の図示である。システム９００は、アクセスポイントまたは基地局９０２を備える。図示されているように、基地局９０２は、受信アンテナ９０６により、１つ以上の通信デバイス９０４（例えば、ユーザデバイス）から信号を受信し、送信アンテナ９０８を通して１つ以上の通信デバイス９０４に送信する。
【００９５】
基地局９０２は、受信アンテナ９０６から情報を受信し、受信した情報を復調する復調器９１２に動作可能に関係付けられている受信機９１０を備える。復調されたシンボルは、プロセッサ９１４により解析され、プロセッサ９１４は、メモリ９１６に結合されており、メモリ９１６は、ユニキャスト波形中に組み込まれているブロードキャストマルチキャスト波形に関連する情報を記憶する。変調器９１８は、送信アンテナ９０８を通しての送信機９２０による通信デバイス９０４への送信のために、信号を多重化できる。
【００９６】
プロセッサ９１４はさらにアプリケーションプロキシ９２２に結合されており、アプリケーションプロキシ９２２は、移動体デバイスに向けられているデータを受信するように構成できる。受信されたデータをバッファして、構成可能な遅延の後に移動体デバイスに配信できる。いくつかの態様にしたがうと、受信データを他のデータとともに集約して、構成可能な遅延の後に、集約データとして、移動体デバイスに送ることができる。いくつかの態様にしたがうと、データは、アプリケーションプロキシ９２２に置いて受信されるのと実質的に同時に移動体デバイスに送信される。データをバッファし、データを集約し、データを実質的に直ちに送信するか否かの決定、および、構成可能な遅延は、データの分類に基づくとすることができる。アプリケーションプロキシ９２２は、分類の関数および／またはデータパスの利用可能性として、移動体デバイスにデータを送るのに利用するデータパス（例えば、ＷＷＡＮ、側波帯等）を決定できる。
【００９７】
図１０を参照すると、ある態様にしたがった、プロキシサポートを提供する例示的なシステム１００が図示されている。システム１０００は、少なくとも部分的にフェムトセル内に存在してもよい。システム１０００は、機能ブロックを備えるように表されており、それらの機能ブロックは、プロセッサ、ソフトウェア、または、これらの組み合わせ（例えば、ファームウェア）によって実現される機能を表す機能ブロックであってもよいことを正しく認識すべきである。
【００９８】
システム１０００は、別々に、または、一緒に機能できる電気コンポーネントの論理グルーピング１００２を備える。論理グルーピング１００２は、移動体デバイスのワイヤレスワイドエリアネットワークとの通信をサポートする電気コンポーネント１００４を備えていてもよい。論理グルーピング１００２はまた、移動体デバイスに関係するアプリケーションのサブセットに対してアプリケーションプロキシサポートを提供する電気コンポーネント１００６を備える。いくつかの態様にしたがうと、電気コンポーネント１００６は、移動体デバイスに向けられているデータの第１のサブセットをワイドエリアネットワークから受信する電気コンポーネント１００８と、データの第１サブセットを処理する電気コンポーネント１０１０とを備える。
【００９９】
いくつかの態様にしたがうと、論理グルーピング１００２は、移動体デバイスへの後の送信のために、データの第１のサブセットをバッファする電気コンポーネント１０１２を備える。データの第１のサブセットに関係する遅延の満了の後に、第１のワイヤレスリンクを通してデータの第１のサブセットを移動体デバイスに伝達する電気コンポーネント１０１４もまた、論理グルーピング１００２中に備えられている。
【０１００】
いくつかの態様にしたがうと、論理グルーピング１００２は、移動体デバイスに関係するアプリケーションのサブセットに対して少なくとも２つの状態を維持する電気コンポーネント１０１６を備える。電気コンポーネント１０１６は、ワイヤレスワイドエリアネットワークとの少なくとも１つの対話に対して第１の状態を予約する電気コンポーネント１０１８と、移動体デバイスとの少なくとも１つの対話に対して第２の状態を予約する電気コンポーネント１０２０とを備えることができる。
【０１０１】
いくつかの態様にしたがうと、論理グルーピング１００２は、第２の状態の利用可能性を監視する電気コンポーネント１０２２を備えることができる。電気コンポーネント１０２２が、第２の状態が利用可能ではないことを示す場合に、移動体デバイスを第２の状態から第１の状態へ遷移させる電気コンポーネント１０２４もまた、論理グルーピング１００２中に備えられている。電気コンポーネント１０１４は、第１の状態でデータの第１のサブセットを送る。いくつかの態様にしたがうと、論理グルーピング１００２は、データの第２のサブセットを受信する電気コンポーネント１０２６と、データの第２のサブセットをバッファする電気コンポーネント１０２８と、データの第１のサブセットと実質的に同時に、データの第２のサブセットを送信する電気コンポーネント１０３０とを備える。
【０１０２】
いくつかの態様にしたがうと、論理グルーピング１００２は、移動体デバイス上でアクティブなアプリケーションを識別する電気コンポーネント１０３２と、１つ以上のアクティブなアプリケーションに対してアプリケーションプロキシを実行する電気コンポーネント１０３４とを備える。構成可能な遅延に基づいて、バッファされたデータを移動体デバイスに配信する電気コンポーネント１０３６もまた、論理グルーピング１００２中に備えられている。
【０１０３】
加えて、システム１０００は、電気コンポーネント１００４〜１０３６または他のコンポーネントに関係する機能を実行させるための命令を保持するメモリ１０３８を備えることができる。メモリ１０３８に対して外部であるように示されているが、電気コンポーネント１００４〜１０３６のうちの１つ以上のものがメモリ１０３８内に存在してもよいことを理解すべきである。
【０１０４】
図１１は、例示的なワイヤレス通信ネットワーク１１００を図示している。ワイヤレス通信システム１１００は、簡潔にするために、１つの基地局１１０２と１つの移動体デバイス１１０４とを描いている。しかしながら、ワイヤレス通信システム１１００は、１つより多い基地局および／または１つより多い移動体デバイスを備えることができることを正しく認識すべきである。追加の基地局および／また移動体デバイスは、下記に記述する例示的な基地局１１０２および移動体デバイス１１０４と、実質的に類似している、あるいは、異なっているとすることができる。加えて、基地局１１０２および／または移動体デバイス１１０４は、ここに記述するシステムおよび／または方法を用いて、その間でのワイヤレス通信を促進することができることを正しく認識すべきである。
【０１０５】
基地局１１０２において、多数のデータストリームに対するトラフィックデータが、データソース１１０６から送信（ＴＸ）データプロセッサ１１０８に提供される。例にしたがうと、それぞれのアンテナを通して各データストリームを送信できる。ＴＸデータプロセッサ１１０８は、そのデータストリームに対して選択される特定のコーディングスキームに基づいて、トラフィックデータストリームをフォーマットし、コード化し、インターリーブして、コード化されたデータを提供する。
【０１０６】
各データストリームに対してコード化されたデータは、直交周波数分割多重化（ＯＦＤＭ）技術を使用して、パイロットデータと多重化させることができる。加えて、または、代替的に、パイロットシンボルは、周波数分割多重化（ＦＤＭ）、時分割多重化（ＴＤＭ）、または、コード分割多重化（ＣＤＭ）できる。パイロットデータは、典型的に、既知の方法で処理される既知のデータパターンであり、移動体デバイス１１０４において、チャネル応答を推定するために使用できる。そのデータストリームに対して選択された、特定の変調スキーム（例えば、２位相シフトキーイング（ＢＰＳＫ）、直角位相シフトキーイング（ＱＳＰＫ）、Ｍ位相シフトキーイング（Ｍ−ＰＳＫ）、Ｍ直角位相振幅変調（Ｍ−ＱＡＭ）等）に基づいて、各データストリームに対して、多重化されたパイロットおよびコード化されたデータは、変調（すなわち、シンボルマッピング）することができ、変調シンボルを提供する。各データストリームに対する、データレート、コーディング、および変調は、プロセッサ１１１０により実行または提供される命令により、決定できる。
【０１０７】
データストリームに対する変調シンボルは、ＴＸ ＭＩＭＯプロセッサ１１１２に提供でき、ＴＸ ＭＩＭＯプロセッサ１１１２は、（例えば、ＯＦＤＭに対して）変調シンボルをさらに処理できる。ＴＸ ＭＩＭＯプロセッサ１１１２は、その後、ＮＴ個の変調シンボルストリームを、ＮＴ個の送信機（ＴＭＴＲ）１１１４ａないし１１１４ｔに提供する。さまざまな実施形態では、ＴＸ ＭＩＭＯプロセッサ１１１２は、データストリームのシンボルと、シンボルがそこから送信されるアンテナとにビーム形成重みを適用する。
【０１０８】
各送信機１１１４は、それぞれのシンボルストリームを受け取って処理し、１つ以上のアナログ信号を提供し、さらに、アナログ信号を調整（例えば、増幅、フィルタリング、アップコンバート）して、ＭＩＭＯチャネルを通した送信に対して適切な変調した信号を提供する。さらに、送信機１１１４ａないし１１１４ｔからのＮＴ個の変調信号は、それぞれ、ＮＴ本のアンテナ１１１６ａないし１１１６ｔから送信される。
【０１０９】
移動体デバイス１１０４において、送信された変調信号が、ＮＲ本のアンテナ１１１８ａないし１１１８ｒにより受信され、各アンテナ１１１８からの受信信号は、それぞれの受信機（ＲＣＶＲ）１１２０ａないし１１２０ｒに提供される。各受信機１１２０は、それぞれの信号を調整（例えば、フィルタリング、増幅、ダウンコンバータ）し、調整信号をデジタル化して、サンプルを提供し、さらに、サンプルを処理して、対応する“受信された”シンボルストリームを提供する。
【０１１０】
ＲＸデータプロセッサ１１２２は、特定の受信機処理技術に基づいて、ＮＲ機の受信機１１２０からＮＲ個の受信シンボルストリームを受け取って処理し、ＮＴ個の“検出された”シンボルストリームを提供できる。ＲＸデータプロセッサ１１２２は、各検出シンボルストリームを復調し、デインターリーブし、デコードして、データストリームに対してトラフィックデータを復元できる。ＲＸデータプロセッサ１１２２による処理は、基地局１１０２において、ＴＸ ＭＩＭＯプロセッサ１１１２およびＴＸデータプロセッサ１１０８により実行されるものに対して相補的である。
【０１１１】
プロセッサ１１２４は、上述したように、いずれのプリコーディング行列を利用するかを周期的に決定する。さらに、プロセッサ１１２４は、行列インデックス部分とランク値部分とを含むリバースリンクメッセージを構築できる。
【０１１２】
リバースリンクメッセージは、通信リンクおよび／または受信データストリームに関するさまざまなタイプの情報を含めることができる。リバースリンクメッセージは、ＴＸデータプロセッサ１１２６によって処理できる。ＴＸデータプロセッサ１１２６はまた、データソース１１２８から、多数のデータストリームに対するトラフィックデータを受け取り、トラフィックデータは、変調器１１３０により変調され、送信機１１３２ａないし１１３２ｒにより調整され、基地局１１０２に送り返される。
【０１１３】
基地局１１０２において、移動体デバイス１１０４からの変調信号は、アンテナ１１１６により受信され、受信機１１３４ａないし１１３４ｔにより調整され、復調器１１３６により復調され、ＲＸデータプロセッサ１１３８により処理されて、移動体デバイス１１０４により送信されたリバースリンクメッセージを導出する。さらに、プロセッサ１１１０は、ビーム形成重みを決定するために、導出されたメッセージを処理して、いずれのプリコーディング行列を使用するかを決定できる。
【０１１４】
プロセッサ１１１０および１１２４は、それぞれ、基地局１１０２および移動体デバイス１１０４における動作を指示（例えば、制御、調整、管理等）できる。それぞれのプロセッサ１１１０および１１２４は、プログラムコードおよびデータを記憶するメモリ１１４０および１１４２に関係付けることができる。プロセッサ１１１０および１１２４はまた、それぞれ、アップリンクおよびダウンリンクに対する、周波数およびインパルス応答推定を導出する計算を実行できる。
【０１１５】
ここで開示した態様は、ハードウェア、ソフトウェア、ファームウェアまたはこれらの任意の組み合わせにより実現できることを理解すべきである。ソフトウェアで実現されるとき、機能は、１つ以上の命令またはコードとして、コンピュータ読取可能媒体上に記憶してもよく、あるいは、コンピュータ読取可能媒体を通して送信してもよい。コンピュータ読取可能媒体は、１つの場所から別の場所へのコンピュータプログラムの転送を促進する何らかの媒体を含む、コンピュータ記憶媒体および通信媒体の双方を含む。記憶媒体は、汎用コンピュータまたは特別用途コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用プロセッサまたは特別用途プロセッサ、ならびに、汎用コンピュータまたは特別用途コンピュータによりアクセスでき、命令またはデータ構造の形態で所望のプログラムコード手段を伝送または記憶するために使用できる他の何らかの媒体を含んでいてもよい。また任意の接続は、適切にコンピュータ読取可能媒体と呼ばれる。例えば、同軸ケーブル、光ファイバケーブル、ツイストペア、デジタル加入者線（ＤＳＬ）、あるいは、赤外線、無線、および、マイクロ波のようなワイヤレス技術を使用しているウェブサイト、サーバ、または、他の遠隔ソースから、ソフトウェアが送信される場合には、同軸ケーブル、光ファイバケーブル、ツイストペア、ＤＳＬ、あるいは、赤外線、無線、および、マイクロ波のようなワイヤレス技術は、媒体の定義に含まれる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。上記のものの組み合わせも、コンピュータ読取可能媒体の範囲内に含められるべきである。
【０１１６】
ここで開示した態様に関連して説明した、さまざまな例示的な論理、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、あるいは、ここで記述した機能を実行するように設計されているこれらの任意の組み合わせで、実現または実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアを伴う１つ以上のマイクロプロセッサ、または、他の何らかのこのような構成のような、コンピューティングデバイスの組み合わせとして、実現されてもよい。加えて、少なくとも１つのプロセッサは、ここで記述したステップおよび／またはアクションのうちの１つ以上のものを実行するのに動作可能な１つ以上のモジュールを備えていてもよい。
【０１１７】
ソフトウェア実現に対して、ここで開示した技術は、ここで記述した機能を実行するモジュール（例えば、手続、関数等）により実現してもよい。ソフトウェアコードは、メモリユニット中に記憶されて、プロセッサにより実行されてもよい。メモリユニットは、プロセッサ内で、または、プロセッサに対して外部で実現されてもよく、このケースでは、メモリユニットは、技術的に知られているさまざまな手段を通して、プロセッサに通信可能に結合できる。さらに、少なくとも１つのプロセッサは、ここで記述した機能を実行するのに動作可能な１つ以上のモジュールを備えていてもよい。
【０１１８】
ここに記述した技術は、ＣＤＭＡ、ＴＤＭＡ、ＦＤＭＡ、ＯＦＤＭＡ、ＳＣ−ＦＤＭＡおよび他のシステムのような、さまざまなワイヤレス通信システムに対して使用してもよい。“システム”および“ネットワーク”という用語は、区別なく使用されることが多い。ＣＤＭＡシステムは、ユニバーサル地上無線アクセス（ＵＴＲＡ）、ＣＤＭＡ２０００等のような、無線技術を実現してもよい。ＵＴＲＡは、ワイドバンド−ＣＤＭＡ（Ｗ−ＣＤＭＡ）、および、ＣＤＭＡの他の変形を含む。さらに、ＣＤＭＡ２０００は、ＩＳ−２０００、ＩＳ−９５、およびＩＳ−８５６の標準規格をカバーしている。ＴＤＭＡシステムは、グローバルシステムフォーモバイルコミュニケーション（ＧＳＭ（登録商標））のような無線技術を実現してもよい。ＯＦＤＭＡシステムは、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ等のような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンクではＯＦＤＭＡを用いて、アップリンクではＳＣ−ＦＤＭＡを用いるＥ−ＵＴＲＡを使用するＵＭＴＳのリリースである。ＵＴＲＡ、Ｅ−ＵＴＲＡ、ＵＭＴＳ、ＬＴＥおよびＧＳＭは、“第３世代パートナーズシッププロジェクト”（３ＧＰＰ）という名称の機関からの文書中に記載されている。加えて、ＣＤＭＡ２０００およびＵＭＢは、“第３世代パートナーズシッププロジェクト２”（３ＧＰＰ２）という名称の機関からの文書中に記載されている。さらに、このようなワイヤレス通信システムは、加えて、対ではないライセンスされていないスペクトル、８０２．ｘｘワイヤレスＬＡＮ、ブルートゥース、および、他の何らかの短距離もしくは長距離のワイヤレス通信技術を使用することが多い、ピアツーピア（例えば、モバイルツーモバイル）アドホックネットワークシステムを含めることができる。
【０１１９】
単一搬送波周波数分割多元接続（ＳＣ−ＦＤＭＡ）は、単一搬送波変調と周波数ドメイン等化技術とを利用する、開示した態様とともに利用できる技術である。ＳＣ−ＦＤＭＡは、ＯＦＤＭＡシステムのものと類似した性能、および、本質的に類似した全体的な複雑性を有する。ＳＣ−ＦＤＭＡ信号は、その固有の単一搬送波構造のために、より低いピーク対平均電力比（ＰＡＰＲ）を有する。ＳＣ−ＦＤＭＡは、より低いＰＡＰＲが、送信電力効率の点で、移動体端末の利益となることができるアップリンク通信中で利用できる。
【０１２０】
さらに、ここで記述したさまざまな態様または特徴は、標準的なプログラミングおよび／またはエンジニアリング技術を使用して、方法、装置あるいは製造品として実現してもよい。ここで使用する“製造品”という用語は、何らかのコンピュータ読取可能デバイス、キャリアまたは媒体からアクセス可能なコンピュータプログラムを含むことを意図している。例えば、コンピュータ読取可能媒体は、限定されないが、磁気記憶デバイス（例えば、ハードディスク、フロッピーディスク、磁気ストライプ等）、光ディスク（例えば、コンパクトディスク（ＣＤ）、デジタル汎用性ディスク（ＤＶＤ）等）、スマートカードおよびフラッシュメモリデバイス（例えば、ＥＰＲＯＭ、カード、スティック、キードライブ等）を含めることができる。加えて、ここで記述したさまざまな記憶媒体は、情報を記憶させるための、１つ以上のデバイスおよび／または他の機械読取可能媒体を表すことができる。“機械読取可能媒体”という用語は、制限されることなく、命令および／またはデータを記憶する、含むおよび／または伝達することできる、ワイヤレスチャネルならびに他のさまざまな媒体を含めることができる。加えて、コンピュータプログラムプロダクトは、ここで記述した機能をコンピュータに実行させるように動作可能な、１つ以上の命令またはコードを有するコンピュータ読取可能媒体を含んでもよい。
【０１２１】
さらに、ここで開示した態様に関連して記述した方法あるいはアルゴリズムのステップおよび／またはアクションは、ハードウェアで、プロセッサにより実行されるソフトウェアモジュールで、あるいは、これらの組み合わせで直接的に具現化してもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体は、プロセッサに一体化していてもよい。さらに、いくつかの態様では、プロセッサおよび記憶媒体は、ＡＳＩＣに存在していてもよい。加えて、ＡＳＩＣは、ユーザ端末に存在していてもよい。代替実施形態では、プロセッサおよび記憶媒体は、離散コンポーネントとしてユーザ端末に存在していてもよい。加えて、いくつかの態様では、方法あるいはアルゴリズムのステップおよび／またはアクションは、コンピュータプログラムプロダクト中に組み込まれていてもよい、機械読取可能媒体ならびに／あるいはコンピュータ読取可能媒体上に、コードおよび／または命令の、１つ、何らかの組み合わせ、またはセットとして存在してもよい。
【０１２２】
前述の開示では、例示的な態様および／または実施形態を論じたが、添付した特許請求の範囲により規定するような記述した態様および／または実施形態の範囲から逸脱することなく、ここでさまざまな変更および修正を行うことができることに留意すべきである。したがって、記述した態様は、添付した特許請求の範囲内に入る、すべてのこのような代替、修正、およびバリエーションを含むことを意図している。さらに、記述した態様および／または実施形態のエレメントを単数形で記述またはクレームしているが、単一形に対する限定が明示的に述べられていない限り、複数形を意図している。加えて、そうでないことが述べられていない限り、任意の態様および／または実施形態の、すべてならびに一部分は、任意の他の態様および／または実施形態の、すべてならびに一部分とともに利用してもよい。
【０１２３】
“含む”という用語を、詳細な説明または特許請求の範囲のいずれかにおいて使用する限り、このような用語は、“具備する”が特許請求の範囲中で移行語として用いられるときに解釈されるように、“具備する”という用語と類似した方法で、包括的であることを意図している。さらに、詳細な説明または特許請求の範囲のいずれかにおいて使用する“または”という用語は、排他的な“または”というよりむしろ、包含的な“または”を意味することを意図している。すなわち、そうでないことが明記されていない限り、または、文脈から明らかでない限り、フレーズ“ＸがＡまたはＢを用いる”は、自然な包含的順列のうちのいずれかのものを意味するように意図している。すなわち、フレーズ“ＸがＡまたはＢを用いる”は、以下の事例：ＸがＡを用いる；ＸがＢを用いる；または、ＸがＡおよびＢの双方を用いる、のうちのいずれかのものにより満たされる。加えて、本出願および添付した特許請求の範囲中で使用されている、冠詞“ａ”および“ａｎ”は、そうでないことが明記されていない限り、または、単数形を示していることが文脈から明らかでない限り、一般的に、“１つ以上”を意味すると解釈すべきである。
【０１２４】
本出願中で使用される用語“コンポーネント”、“モジュール”、“システム”、およびこれらに類するものは、コンピュータ関連エンティティや、ハードウェアか、ファームウェアか、ハードウェアとソフトウェアとの組み合わせか、ソフトウェアか、または実行中のソフトウェアかのいずれかを指すことを意図している。例えば、コンポーネントは、これらに限定されないが、プロセッサ上で実行しているプロセス、プロセッサ、オブジェクト、実行ファイル、実行のスレッド、プログラム、および／または、コンピュータであってもよい。事例として、コンピューティングデバイス上で実行しているアプリケーションとコンピューティングデバイスとの双方をコンポーネントとすることができる。１つ以上のコンポーネントは、プロセス、および／または、実行のスレッド内に存在することができ、コンポーネントは、１つのコンピュータ上に局所化でき、および／または、２つ以上のコンポーネントとの間に分散させてもよい。加えて、これらのコンポーネントは、その上に記憶したさまざまなデータ構造を有するさまざまなコンピュータ読取可能記憶媒体から実行できる。１つ以上のデータパケットを有する信号（例えば、ローカルシステム中で、分散システム中で、および／または、他のシステムを持つインターネットのようなネットワークにわたって、別のコンポーネントと対話している１つのコンポーネントからの、信号としてのデータ）にしたがう、ローカルおよび／または遠隔のプロセスにより、コンポーネントは通信できる。
【０１２５】
さらに、さまざまな態様を、移動体デバイスに関連してここに記述している。移動体デバイスは、システム、加入者ユニット、加入者局、移動局、移動体、ワイヤレス端末、ノード、デバイス、遠隔局、遠隔端末、アクセス端末、ユーザ端末、端末、ワイヤレス通信デバイス、ワイヤレス通信装置、ユーザエージェント、ユーザデバイス、ユーザ機器（ＵＥ）、およびこれらに類するものと呼ぶことができ、システム、加入者ユニット、加入者局、移動局、移動体、ワイヤレス端末、ノード、デバイス、遠隔局、遠隔端末、アクセス端末、ユーザ端末、端末、ワイヤレス通信デバイス、ワイヤレス通信装置、ユーザエージェント、ユーザデバイス、ユーザ機器（ＵＥ）、およびこれらに類するものの機能のうちのいくつか、または、すべてを備えていてもよい。移動体デバイスは、セルラ電話機、コードレス電話機、セッション開始プロトコル（ＳＩＰ）電話機、スマートフォン、ワイヤレスローカルループ（ＷＬＬ）局、パーソナルデジタルアシスタント（ＰＤＡ）、ラップトップ、ハンドヘルド通信デバイス、ハンドヘルドコンピューティングデバイス、衛星ラジオ、ワイヤレスモデムカード、および／または、ワイヤレスシステムを通して通信する別の処理デバイスであるとすることができる。さらに、基地局に関連して、さまざまな態様をここで記述している。基地局は、ワイヤレス端末との通信のために利用でき、基地局は、アクセスポイント、ノード、ノードＢ、ｅ−ノードＢ、ｅ−ＮＢ、または他の何らかのネットワークエンティティと呼ぶことができ、アクセスポイント、ノード、ノードＢ、ｅ−ノードＢ、ｅ−ＮＢ、または他の何らかのネットワークエンティティの機能のうちのいくつか、または、すべてを備えていてもよい。
【０１２６】
多数の、デバイス、コンポーネント、モジュール、およびこれらに類するものを含むことがあるシステムの観点から、さまざまな態様または特徴を提示するだろう。さまざまなシステムは、追加の、デバイス、コンポーネント、モジュール等を含んでもよく、および／または、図面に関連して論じた、デバイス、コンポーネント、モジュール等のすべてを含まなくてもよいことを理解し、正しく認識すべきである。これらのアプローチの組み合わせもまた使用できる。
【０１２７】
加えて、本主題の説明では、“例示的な”という用語は、例として、事例としてまたは例証として機能することを意味するように使用される。“例示的な”としてここで記述した何らかの態様または設計は、必ずしも、他の態様または設計より好ましい、あるいは、効果的であるとして解釈すべきではない。むしろ、例示的なという用語の使用は、具体的な方法で概念を提示することを意図している。
【図１】
2013535130.tif 000003
【図２】
2013535130.tif 000004
【図３】
2013535130.tif 000005
【図４】
2013535130.tif 000006
【図５】
2013535130.tif 000007
【図６】
2013535130.tif 000008
【図７】
2013535130.tif 000009
【図８】
2013535130.tif 000010
【図９】
2013535130.tif 000011
【図１０】
2013535130.tif 000012
【図１１】
2013535130.tif 000013
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
ワイヤレスノードにおける通信環境中で使用する方法において、
移動体デバイスのワイヤレスワイドエリアネットワークとの通信をサポートすることと、
前記移動体デバイスに関係するアプリケーションのサブセットに対してアプリケーションプロキシサポートを前記ワイヤレスノードにおいて提供することとを含み、
前記移動体デバイスは、第１のワイヤレスリンクを通して前記ワイヤレスノードにアクセス可能である方法。
【請求項２】
前記提供することは、
前記移動体デバイスに向けられているデータの第１のサブセットを前記ワイヤレスワイドエリアネットワークから受信することと、
前記データの第１のサブセットを処理することとを含む請求項１記載の方法。
【請求項３】
前記処理することは、
前記移動体デバイスへの後の送信のために、前記データの第１のサブセットをバッファすることと、
前記データの第１のサブセットに関係する遅延の満了の後に、前記第１のワイヤレスリンクを通して前記データの第１のサブセットを前記移動体デバイスに伝達することとを含む請求項２記載の方法。
【請求項４】
前記遅延は、動的に構成可能である請求項３記載の方法。
【請求項５】
前記処理することは、前記データの第１のサブセットを前記移動体デバイスに送信するか否かを決定することを含む請求項３記載の方法。
【請求項６】
前記伝達することは、前記決定に基づいて実行される請求項５記載の方法。
【請求項７】
前記提供することは、前記移動体デバイスに関係する被プロキシアプリケーションの代わりに、前記ワイヤレスワイドエリアネットワークに通信することを含む請求項１記載の方法。
【請求項８】
データの第２のサブセットを受信することと、
前記データの第２のサブセットをバッファすることと、
前記データの第１のサブセットと実質的に同時に、前記データの第２のサブセットを送信することとをさらに含む請求項２記載の方法。
【請求項９】
前記バッファすることは、データを集約することを含み、前記伝達することは、データバースト中で前記集約されたデータを前記移動体デバイスに配信することを含み、前記方法は、前記集約データの受信の後に、より低いエネルギーモードに入るように前記移動体デバイスに命令することをさらに含む請求項８記載の方法。
【請求項１０】
前記集約することは、分類、サービスの品質、アプリケーションタイプ、構成可能な選択、許容可能な遅延時間、または、これらの組み合わせに基づいている請求項９記載の方法。
【請求項１１】
前記ワイヤレスノードにおいて、前記移動体デバイスに関係するアプリケーションのサブセットに対して少なくとも２つの状態を維持することをさらに含み、
前記維持することは、前記ワイヤレスノードと前記ワイヤレスワイドエリアネットワークとの間の少なくとも１つの対話に対して第１の状態を予約することと、前記ワイヤレスノードと前記移動体デバイスとの間の少なくとも１つの対話に対して第２の状態を予約することとを含む請求項１記載の方法。
【請求項１２】
前記第２の状態は、前記第１の状態と比較して、前記移動体デバイスに対するより低いエネルギー状態を表す請求項１１記載の方法。
【請求項１３】
前記第２の状態の利用可能性を監視することと、
前記監視することが、前記第２の状態が利用可能ではないことを示す場合に、前記移動体デバイスを前記第２の状態から前記第１の状態へ遷移させることとをさらに含み、
前記伝達することは、前記第１の状態でデータの第１のサブセットを送ることを含む請求項１１記載の方法。
【請求項１４】
前記第２の状態の利用可能性は、前記第２のワイヤレスリンクの利用可能性に依存している請求項１３記載の方法。
【請求項１５】
データの第１のサブセットは、第２のワイヤレスリンクを通して前記ワイヤレスノードによって前記移動体デバイスに配信される請求項１記載の方法。
【請求項１６】
前記ワイヤレスノードと前記移動体デバイスとの間のワイヤレス通信に対するエネルギー利用を最小化するために、前記第１のワイヤレスリンクまたは前記第２のワイヤレスリンクが選択される請求項１５記載の方法。
【請求項１７】
第２の状態の利用可能性は、前記第２のワイヤレスリンクの利用可能性に依存している請求項１６記載の方法。
【請求項１８】
前記移動体デバイス上でアクティブなアプリケーションを識別することと、
前記識別されたアクティブなアプリケーションのうちの１つ以上のものに対して、アプリケーションプロキシを実行することとをさらに含む請求項１記載の方法。
【請求項１９】
被プロキシアプリケーションに関係する著しいイベントの到着のときに、前記移動体デバイスと前記ワイヤレスノードとの間の少なくとも１つのワイヤレスリンクを通して、前記移動体デバイスをウェイクアップさせることをさらに含む請求項１記載の方法。
【請求項２０】
前記移動体デバイスに関係するアプリケーションのサブセットは、前記移動体デバイスに関係するすべてのアプリケーションを含む請求項１記載の方法。
【請求項２１】
前記移動体デバイスと前記ワイヤレスノードとの間の少なくとも１つのワイヤレスリンクが暗号化されている請求項１記載の方法。
【請求項２２】
前記ワイヤレスノードはフェムトセルである請求項１記載の方法。
【請求項２３】
通信装置において、
移動体デバイスのワイヤレスワイドエリアネットワークとの通信をサポートすることと、前記移動体デバイスに関係するアプリケーションのサブセットに対してアプリケーションプロキシサポートを前記通信装置において提供することとに関連する命令を保持するメモリと、
前記メモリに結合されており、前記メモリ中に保持されている前記命令を実行するように構成されているプロセッサとを具備し、
前記移動体デバイスは、第１のワイヤレスリンクを通して前記通信装置にアクセス可能である通信装置。
【請求項２４】
前記メモリは、前記移動体デバイスに向けられているデータの第１のサブセットを前記ワイヤレスワイドエリアネットワークから受信することと、前記移動体デバイスへの後の送信のために、前記データの第１のサブセットをバッファすることと、前記データの第１のサブセットに関係する遅延の満了の後に、前記第１のワイヤレスリンクを通して前記データの第１のサブセットを前記移動体デバイスに伝達することとに関連する命令をさらに備える請求項２３記載の通信装置。
【請求項２５】
前記メモリは、前記通信装置において、前記移動体デバイスに関係するアプリケーションのサブセットに対して少なくとも２つの状態を維持することに関連する命令をさらに備え、
前記維持することに関連する命令は、前記通信装置と前記ワイヤレスワイドエリアネットワークとの間の少なくとも１つの対話に対して第１の状態を予約することと、前記通信装置と前記移動体デバイスとの間の少なくとも１つの対話に対して第２の状態を予約することとに関連する命令を含む請求項２３記載の通信装置。
【請求項２６】
前記メモリは、前記移動体デバイス上でアクティブなアプリケーションを識別することと、前記アクティブなアプリケーションのうちの１つ以上のものに対して、アプリケーションプロキシを動作させることと、各アクティブなアプリケーションに関係するデータをバッファすることと、構成可能な遅延の満了の後に、前記バッファされたデータを前記移動体デバイスに配信することとに関連する命令をさらに備える請求項２３記載の通信装置。
【請求項２７】
移動体デバイスに対してプロキシサポートを提供する通信装置において、
移動体デバイスのワイヤレスワイドエリアネットワークとの通信をサポートする手段と、
前記移動体デバイスに関係するアプリケーションのサブセットに対してアプリケーションプロキシサポートを前記通信装置において提供する手段とを具備する通信装置。
【請求項２８】
前記提供する手段は、
前記移動体デバイスに向けられているデータの第１のサブセットを前記ワイヤレスワイドエリアネットワークから受信する手段と、
前記データの第１のサブセットを処理する手段とを備える請求項２７記載の通信装置。
【請求項２９】
前記移動体デバイスへの後の送信のために、前記データの第１のサブセットをバッファする手段と、
前記データの第１のサブセットに関係する遅延の満了の後に、前記第１のワイヤレスリンクを通して前記データの第１のサブセットを前記移動体デバイスに伝達する手段とをさらに具備する請求項２７記載の通信装置。
【請求項３０】
前記通信装置において、前記移動体デバイスに関係するアプリケーションのサブセットに対して少なくとも２つの状態を維持する手段をさらに具備し、
前記維持する手段は、前記通信装置と前記ワイヤレスワイドエリアネットワークとの間の少なくとも１つの対話に対して第１の状態を予約する手段と、前記通信装置と前記移動体デバイスとの間の少なくとも１つの対話に対して第２の状態を予約する手段とを備える請求項２９記載の通信装置。
【請求項３１】
前記第２の状態の利用可能性を監視する手段と、
前記監視する手段が、前記第２の状態が利用可能ではないことを示す場合に、前記移動体デバイスを前記第２の状態から前記第１の状態へ遷移させる手段とをさらに具備する請求項３０記載の通信装置。
【請求項３２】
データの第２のサブセットを受信する手段と、
前記データの第２のサブセットをバッファする手段と、
データの第１のサブセットと実質的に同時に、前記データの第２のサブセットを送信する手段とをさらに具備する請求項２７記載の通信装置。
【請求項３３】
前記移動体デバイス上でアクティブなアプリケーションを識別する手段と、
前記アクティブなアプリケーションのうちの少なくとも１つに対して、アプリケーションプロキシを実行して、データをバッファする手段と、
構成可能な遅延に基づいて、前記バッファされたデータを前記移動体デバイスに配信する手段をさらに具備する請求項２７記載の通信装置。
【請求項３４】
コンピュータプログラムを記憶するコンピュータ読取可能記憶媒体において、
前記コンピュータプログラムは、
移動体デバイスのワイヤレスワイドエリアネットワークとの通信をコンピュータにサポートさせるための第１の組のコードと、
前記移動体デバイスに関係するアプリケーションのサブセットに対してアプリケーションプロキシサポートを前記コンピュータに提供させるための第２の組のコードとを含むコンピュータ読取可能記憶媒体。
【請求項３５】
前記コンピュータプログラムは、
前記移動体デバイスに向けられているデータの第１のサブセットを前記ワイヤレスワイドエリアネットワークから前記コンピュータに受信させるための第３の組のコードと、
前記移動体デバイスへの後の送信のために、前記データの第１のサブセットを前記コンピュータにバッファさせるための第４の組のコードと、
前記データの第１のサブセットに関係する遅延の満了の後に、前記第１のワイヤレスリンクを通して前記データの第１のサブセットを前記移動体デバイスに前記コンピュータに伝達させるための第５の組のコードとをさらに含む請求項３４記載のコンピュータ読取可能記憶媒体。
【請求項３６】
移動体デバイスに対してプロキシサポートを提供するように構成されている少なくとも１つのプロセッサにおいて、
移動体デバイスのワイヤレスワイドエリアネットワークとの通信をサポートする第１のモジュールと、
前記移動体デバイスに関係するアプリケーションのサブセットに対してアプリケーションプロキシサポートを提供する第２のモジュールと、
前記移動体デバイスに向けられているデータの第１のサブセットを前記ワイヤレスワイドエリアネットワークから受信する第３のモジュールと、
前記データの第１のサブセットを処理する第４のモジュールとを具備する少なくとも１つのプロセッサ。
【請求項３７】
前記移動体デバイスへの後の送信のために、前記データの第１のサブセットをバッファする第５のモジュールと、
前記データの第１のサブセットに関係する遅延の満了の後に、前記第１のワイヤレスリンクを通して前記データの第１のサブセットを前記移動体デバイスに伝達する第６のモジュールとをさらに具備し、
前記遅延は、動的に構成可能である請求項３６記載の少なくとも１つのプロセッサ。
【手続補正２】
【補正対象書類名】明細書
【補正対象項目名】０１２７
【補正方法】変更
【補正の内容】
【０１２７】
加えて、本主題の説明では、“例示的な”という用語は、例として、事例としてまたは例証として機能することを意味するように使用される。“例示的な”としてここで記述した何らかの態様または設計は、必ずしも、他の態様または設計より好ましい、あるいは、効果的であるとして解釈すべきではない。むしろ、例示的なという用語の使用は、具体的な方法で概念を提示することを意図している。  
以下に、本願出願の当初の特許請求の範囲に記載された発明を付記する。
［１］
ワイヤレスノードにおける通信環境中で使用する方法において、
移動体デバイスのワイヤレスワイドエリアネットワークとの通信をサポートすることと、
前記移動体デバイスに関係するアプリケーションのサブセットに対してアプリケーションプロキシサポートを前記ワイヤレスノードにおいて提供することとを含み、
前記移動体デバイスは、第１のワイヤレスリンクを通して前記ワイヤレスノードにアクセス可能である方法。
［２］
前記提供することは、
前記移動体デバイスに向けられているデータの第１のサブセットを前記ワイヤレスワイドエリアネットワークから受信することと、
前記データの第１のサブセットを処理することとを含む上記［１］の方法。
［３］
前記処理することは、
前記移動体デバイスへの後の送信のために、前記データの第１のサブセットをバッファすることと、
前記データの第１のサブセットに関係する遅延の満了の後に、前記第１のワイヤレスリンクを通して前記データの第１のサブセットを前記移動体デバイスに伝達することとを含む上記［２］の方法。
［４］
前記遅延は、動的に構成可能である上記［３］の方法。
［５］
前記処理することは、前記データの第１のサブセットを前記移動体デバイスに送信するか否かを決定することを含む上記［３］の方法。
［６］
前記伝達することは、前記決定に基づいて実行される上記［５］の方法。
［７］
前記提供することは、前記移動体デバイスに関係する被プロキシアプリケーションの代わりに、前記ワイヤレスワイドエリアネットワークに通信することを含む上記［１］の方法。
［８］
データの第２のサブセットを受信することと、
前記データの第２のサブセットをバッファすることと、
前記データの第１のサブセットと実質的に同時に、前記データの第２のサブセットを送信することとをさらに含む上記［２］の方法。
［９］
前記バッファすることは、データを集約することを含み、前記伝達することは、データバースト中で前記集約されたデータを前記移動体デバイスに配信することを含み、前記方法は、前記集約データの受信の後に、より低いエネルギーモードに入るように前記移動体デバイスに命令することをさらに含む上記［８］の方法。
［１０］
前記集約することは、分類、サービスの品質、アプリケーションタイプ、構成可能な選択、許容可能な遅延時間、または、これらの組み合わせに基づいている上記［９］の方法。
［１１］
前記ワイヤレスノードにおいて、前記移動体デバイスに関係するアプリケーションのサブセットに対して少なくとも２つの状態を維持することをさらに含み、
前記維持することは、前記ワイヤレスノードと前記ワイヤレスワイドエリアネットワークとの間の少なくとも１つの対話に対して第１の状態を予約することと、前記ワイヤレスノードと前記移動体デバイスとの間の少なくとも１つの対話に対して第２の状態を予約することとを含む上記［１］の方法。
［１２］
前記第２の状態は、前記第１の状態と比較して、前記移動体デバイスに対するより低いエネルギー状態を表す上記［１１］の方法。
［１３］
前記第２の状態の利用可能性を監視することと、
前記監視することが、前記第２の状態が利用可能ではないことを示す場合に、前記移動体デバイスを前記第２の状態から前記第１の状態へ遷移させることとをさらに含み、
前記伝達することは、前記第１の状態でデータの第１のサブセットを送ることを含む上記［１１］の方法。
［１４］
前記第２の状態の利用可能性は、前記第２のワイヤレスリンクの利用可能性に依存している上記［１３］の方法。
［１５］
データの第１のサブセットは、第２のワイヤレスリンクを通して前記ワイヤレスノードによって前記移動体デバイスに配信される上記［１］の方法。
［１６］
前記ワイヤレスノードと前記移動体デバイスとの間のワイヤレス通信に対するエネルギー利用を最小化するために、前記第１のワイヤレスリンクまたは前記第２のワイヤレスリンクが選択される上記［１５］の方法。
［１７］
第２の状態の利用可能性は、前記第２のワイヤレスリンクの利用可能性に依存している上記［１６］の方法。
［１８］
前記移動体デバイス上でアクティブなアプリケーションを識別することと、
前記識別されたアクティブなアプリケーションのうちの１つ以上のものに対して、アプリケーションプロキシを実行することとをさらに含む上記［１］の方法。
［１９］
被プロキシアプリケーションに関係する著しいイベントの到着のときに、前記移動体デバイスと前記ワイヤレスノードとの間の少なくとも１つのワイヤレスリンクを通して、前記移動体デバイスをウェイクアップさせることをさらに含む上記［１］の方法。
［２０］
前記移動体デバイスに関係するアプリケーションのサブセットは、前記移動体デバイスに関係するすべてのアプリケーションを含む上記［１］の方法。
［２１］
前記移動体デバイスと前記ワイヤレスノードとの間の少なくとも１つのワイヤレスリンクが暗号化されている上記［１］の方法。
［２２］
前記ワイヤレスノードはフェムトセルである上記［１］の方法。
［２３］
通信装置において、
移動体デバイスのワイヤレスワイドエリアネットワークとの通信をサポートすることと、前記移動体デバイスに関係するアプリケーションのサブセットに対してアプリケーションプロキシサポートを前記通信装置において提供することとに関連する命令を保持するメモリと、
前記メモリに結合されており、前記メモリ中に保持されている前記命令を実行するように構成されているプロセッサとを具備し、
前記移動体デバイスは、第１のワイヤレスリンクを通して前記通信装置にアクセス可能である通信装置。
［２４］
前記メモリは、前記移動体デバイスに向けられているデータの第１のサブセットを前記ワイヤレスワイドエリアネットワークから受信することと、前記移動体デバイスへの後の送信のために、前記データの第１のサブセットをバッファすることと、前記データの第１のサブセットに関係する遅延の満了の後に、前記第１のワイヤレスリンクを通して前記データの第１のサブセットを前記移動体デバイスに伝達することとに関連する命令をさらに備える上記［２３］の通信装置。
［２５］
前記メモリは、前記通信装置において、前記移動体デバイスに関係するアプリケーションのサブセットに対して少なくとも２つの状態を維持することに関連する命令をさらに備え、
前記維持することに関連する命令は、前記通信装置と前記ワイヤレスワイドエリアネットワークとの間の少なくとも１つの対話に対して第１の状態を予約することと、前記通信装置と前記移動体デバイスとの間の少なくとも１つの対話に対して第２の状態を予約することとに関連する命令を含む上記［２３］の通信装置。
［２６］
前記メモリは、前記移動体デバイス上でアクティブなアプリケーションを識別することと、前記アクティブなアプリケーションのうちの１つ以上のものに対して、アプリケーションプロキシを動作させることと、各アクティブなアプリケーションに関係するデータをバッファすることと、構成可能な遅延の満了の後に、前記バッファされたデータを前記移動体デバイスに配信することとに関連する命令をさらに備える上記［２３］の通信装置。
［２７］
移動体デバイスに対してプロキシサポートを提供する通信装置において、
移動体デバイスのワイヤレスワイドエリアネットワークとの通信をサポートする手段と、
前記移動体デバイスに関係するアプリケーションのサブセットに対してアプリケーションプロキシサポートを前記通信装置において提供する手段とを具備する通信装置。
［２８］
前記提供する手段は、
前記移動体デバイスに向けられているデータの第１のサブセットを前記ワイヤレスワイドエリアネットワークから受信する手段と、
前記データの第１のサブセットを処理する手段とを備える上記［２７］の通信装置。
［２９］
前記移動体デバイスへの後の送信のために、前記データの第１のサブセットをバッファする手段と、
前記データの第１のサブセットに関係する遅延の満了の後に、前記第１のワイヤレスリンクを通して前記データの第１のサブセットを前記移動体デバイスに伝達する手段とをさらに具備する上記［２７］の通信装置。
［３０］
前記通信装置において、前記移動体デバイスに関係するアプリケーションのサブセットに対して少なくとも２つの状態を維持する手段をさらに具備し、
前記維持する手段は、前記通信装置と前記ワイヤレスワイドエリアネットワークとの間の少なくとも１つの対話に対して第１の状態を予約する手段と、前記通信装置と前記移動体デバイスとの間の少なくとも１つの対話に対して第２の状態を予約する手段とを備える上記［２９］の通信装置。
［３１］
前記第２の状態の利用可能性を監視する手段と、
前記監視する手段が、前記第２の状態が利用可能ではないことを示す場合に、前記移動体デバイスを前記第２の状態から前記第１の状態へ遷移させる手段とをさらに具備する上記［３０］の通信装置。
［３２］
データの第２のサブセットを受信する手段と、
前記データの第２のサブセットをバッファする手段と、
データの第１のサブセットと実質的に同時に、前記データの第２のサブセットを送信する手段とをさらに具備する上記［２７］の通信装置。
［３３］
前記移動体デバイス上でアクティブなアプリケーションを識別する手段と、
前記アクティブなアプリケーションのうちの少なくとも１つに対して、アプリケーションプロキシを実行して、データをバッファする手段と、
構成可能な遅延に基づいて、前記バッファされたデータを前記移動体デバイスに配信する手段をさらに具備する上記［２７］の通信装置。
［３４］
コンピュータプログラムプロダクトにおいて、
コンピュータ読取可能媒体を含み、
前記コンピュータ読取可能媒体は、
移動体デバイスのワイヤレスワイドエリアネットワークとの通信をコンピュータにサポートさせるための第１の組のコードと、
前記移動体デバイスに関係するアプリケーションのサブセットに対してアプリケーションプロキシサポートを前記コンピュータに提供させるための第２の組のコードとを含むコンピュータプログラムプロダクト。
［３５］
前記コンピュータ読取可能媒体は、
前記移動体デバイスに向けられているデータの第１のサブセットを前記ワイヤレスワイドエリアネットワークから前記コンピュータに受信させるための第３の組のコードと、
前記移動体デバイスへの後の送信のために、前記データの第１のサブセットを前記コンピュータにバッファさせるための第４の組のコードと、
前記データの第１のサブセットに関係する遅延の満了の後に、前記第１のワイヤレスリンクを通して前記データの第１のサブセットを前記移動体デバイスに前記コンピュータに伝達させるための第５の組のコードとをさらに含む上記［３４］のコンピュータプログラムプロダクト。
［３６］
移動体デバイスに対してプロキシサポートを提供するように構成されている少なくとも１つのプロセッサにおいて、
移動体デバイスのワイヤレスワイドエリアネットワークとの通信をサポートする第１のモジュールと、
前記移動体デバイスに関係するアプリケーションのサブセットに対してアプリケーションプロキシサポートを提供する第２のモジュールと、
前記移動体デバイスに向けられているデータの第１のサブセットを前記ワイヤレスワイドエリアネットワークから受信する第３のモジュールと、
前記データの第１のサブセットを処理する第４のモジュールとを具備する少なくとも１つのプロセッサ。
［３７］
前記移動体デバイスへの後の送信のために、前記データの第１のサブセットをバッファする第５のモジュールと、
前記データの第１のサブセットに関係する遅延の満了の後に、前記第１のワイヤレスリンクを通して前記データの第１のサブセットを前記移動体デバイスに伝達する第６のモジュールとをさらに具備し、
前記遅延は、動的に構成可能である上記［３６］の少なくとも１つのプロセッサ。
【国際調査報告】
2013535130.tif 000014
2013535130.tif 000015
2013535130.tif 000016